(57)【特許請求の範囲】
【請求項１】
第１のプラグと、
第２のプラグと、
上記第１のプラグまたは上記第２のプラグを使用した映像信号の入力を制御する制御部とを有する制御機器であって、
上記制御部は、所定の要求に基づいて、上記映像信号の入力元を上記第１のプラグから上記第２のプラグへ切り換える制御と、上記所定の要求に基づく、上記第２のプラグに接続された機器に対する、電源をＯＮにするための信号の送信とを行い、
上記第２のプラグに接続された機器からの映像送信が行われているかどうかを確認した上で、上記電源をＯＮにするための信号の送信を行うことを特徴とする制御機器。
【請求項２】
第１のプラグと、
第２のプラグと、
上記第１のプラグまたは上記第２のプラグを使用した映像信号の入力を制御する制御部とを有する制御機器であって、
上記制御部は、所定の要求に基づいて、上記映像信号の入力元を上記第１のプラグから上記第２のプラグへ切り換える制御と、上記所定の要求に基づく、上記第２のプラグに接続された機器に対する、電源をＯＮにするための信号の送信とを行い、
上記所定の要求は、上記制御機器が有するプラグに接続されていない機器から上記制御機器に送信されることを特徴とする制御機器。
【請求項３】
第１のプラグと、
第２のプラグと、
上記第１のプラグまたは上記第２のプラグを使用した映像信号の入力を制御する制御部とを有する制御機器であって、
上記制御部は、所定の要求に基づいて、上記映像信号の入力元を上記第１のプラグから上記第２のプラグへ切り換える制御と、上記所定の要求に基づく、上記第２のプラグに接続された機器に対する、電源をＯＮにするための信号の送信とを行い、
上記第１または第２のプラグに接続された機器と無線にて通信を行うことを特徴とする制御機器。
【請求項４】
上記所定の要求は、上記映像信号の入力元を切り換える要求であることを特徴とする請求項１〜３のいずれか１項に記載の制御機器。
【請求項５】
第１のプラグと、
第２のプラグと、
上記第１のプラグまたは上記第２のプラグを使用した映像信号の入力を制御する制御部とを有する制御機器の制御方法であって、
所定の要求に基づいて、上記映像信号の入力元を上記第１のプラグから上記第２のプラグへ切り換える工程と、上記所定の要求に基づいて、上記第２のプラグに接続された機器に対し電源をＯＮにするための信号を送信する工程とを含み、
上記第２のプラグに接続された機器からの映像送信が行われているかどうかを確認した上で、上記電源をＯＮにするための信号の送信を行うことを特徴とする制御方法。
【請求項６】
第１のプラグと、
第２のプラグと、
上記第１のプラグまたは上記第２のプラグを使用した映像信号の入力を制御する制御部とを有する制御機器の制御方法であって、
所定の要求に基づいて、上記映像信号の入力元を上記第１のプラグから上記第２のプラグへ切り換える工程と、上記所定の要求に基づいて、上記第２のプラグに接続された機器に対し電源をＯＮにするための信号を送信する工程とを含み、
上記所定の要求は、上記制御機器が有するプラグに接続されていない機器から上記制御機器に送信されることを特徴とする制御方法。
【請求項７】
第１のプラグと、
第２のプラグと、
上記第１のプラグまたは上記第２のプラグを使用した映像信号の入力を制御する制御部とを有する制御機器の制御方法であって、
所定の要求に基づいて、上記映像信号の入力元を上記第１のプラグから上記第２のプラグへ切り換える工程と、上記所定の要求に基づいて、上記第２のプラグに接続された機器に対し電源をＯＮにするための信号を送信する工程とを含み、
上記第１または第２のプラグに接続された機器と無線にて通信を行うことを特徴とする制御方法。
【請求項８】
請求項５に記載の各工程をコンピュータに実行させるための制御プログラム。
【発明の詳細な説明】
【技術分野】
【０００１】
本発明は、コンテンツを有する複数の機器提供局から所望のコンテンツを選択するコンテンツ選択要求局、コンテンツ提供局、ネットワークシステムに関するものである。
【背景技術】
【０００２】
例えばビデオ録画機や再生機器などのコンテンツは、テレビに接続して使用される。ここで、テレビが一つである場合は、そのテレビでテレビ放送を受信している間は、そのテレビを使ってビデオを再生して鑑賞することができない。また、テレビが二台あっても、そのうち一台だけにビデオ再生機器が接続されていると、ビデオ再生機器が接続されていないほうのテレビでは、ビデオを再生して鑑賞することができない。
【０００３】
これに対し、下記特許文献１に開示された技術では、無線通信を利用して、遠隔配置されたビデオ機器を使って手元のテレビ受像器で再生することができるとしている。
【先行技術文献】
【特許文献】
【０００４】
【特許文献１】特開２０００−１３４５０２号公報（公開日：２０００年５月１２日）
【発明の概要】
【発明が解決しようとする課題】
【０００５】
本発明は、ユーザが機器の切替操作を行った後で、明示的に映像送信開始のための操作を行わなくても、自動的に映像が送信され、より簡便な操作で映像を閲覧できる機器およびシステムを提供することを目的とする。
【課題を解決するための手段】
【０００６】
上記の課題を解決するために、本発明に係る制御機器は、第１のプラグと、第２のプラグと、上記第１のプラグまたは上記第２のプラグを使用した映像信号の入力を制御する制御部とを有する制御機器であって、
上記制御部は、所定の要求に基づいて、上記映像信号の入力元を上記第１のプラグから上記第２のプラグへ切り換える制御と、上記所定の要求に基づく、上記第２のプラグに接続された機器に対する、電源をＯＮにするための信号の送信とを行うことを特徴としている。
【０００７】
本発明に係る制御機器は、第１のプラグと、第２のプラグと、上記第１のプラグまたは上記第２のプラグを使用した映像信号の入力を制御する制御部とを有する制御機器の制御方法であって、
所定の要求に基づいて、上記映像信号の入力元を上記第１のプラグから上記第２のプラグへ切り換える工程と、上記所定の要求に基づいて、上記第２のプラグに接続された機器に対し電源をＯＮにするための信号を送信する工程とを含むことを特徴とする制御方法。
【０００８】
上記各工程をコンピュータに実行させるための制御プログラムも本発明の技術的範囲に含まれる。
【０００９】
本発明に係るシステムは、所定の要求に基づいて、自装置に映像信号を入力する入力元の機器を切り換えるとともに、所定の信号を送出する制御機器と、
切り換え後の上記入力元の機器であって、上記所定の信号を受信し、当該所定の信号に応じて自らの電源をＯＮにする機器とを含むことを特徴としている。
【００１０】
また、上記所定の信号は、映像の送信を開始させるための信号であってもよい。
【００１１】
また、上記所定の信号は、上記機器の電源をＯＮにする信号であってもよい。
【００１２】
また、上記所定の信号は、当該信号を受信した機器が入力元になったことを示す信号であってもよい。
【００１３】
また、上記所定の要求は、上記映像信号の入力元を切り換える要求であってもよい。
【００１４】
また、上記制御機器は、上記第１または第２のプラグに接続された機器と無線にて通信を行うことが好ましい。
【発明の効果】
【００１５】
本発明に係る制御機器は、第１のプラグと、第２のプラグと、上記第１のプラグまたは上記第２のプラグを使用した映像信号の入力を制御する制御部とを有する制御機器であって、
上記制御部は、所定の要求に基づいて、上記映像信号の入力元を上記第１のプラグから上記第２のプラグへ切り換える制御と、上記所定の要求に基づく、上記第２のプラグに接続された機器に対する、電源をＯＮにするための信号の送信とを行う構成である。
【００１６】
本発明に係る制御方法は、所定の要求に基づいて、映像信号の入力元を第１のプラグから第２のプラグへ切り換える工程と、上記所定の要求に基づいて、上記第２のプラグに接続された機器に対し電源をＯＮにするための信号を送信する工程とを含む構成である。
【００１７】
本発明に係るシステムは、所定の要求に基づいて、自装置に映像信号を入力する入力元の機器を切り換えるとともに、所定の信号を送出する制御機器と、
切り換え後の上記入力元の機器であって、上記所定の信号を受信し、当該所定の信号に応じて自らの電源をＯＮにする機器とを含む構成である。
【００１８】
それゆえ、ユーザが機器の切替操作を行った後で、明示的に映像送信開始のための操作を行わなくても、自動的に映像が送信され、より簡便な操作で映像を閲覧できるという効果を奏する。
【図面の簡単な説明】
【００１９】
【図１】図１は、映像受信側の構成例を示すブロック図である。
【図２】図２は、映像送信側の構成例を示すブロック図である。
【図３】図３は、各処理におけるタイミングを示す図面である。
【図４】図４は、映像受信側の映像受信開始処理を示すフローチャートである。
【図５】図５は、映像受信側の映像受信開始処理を示すフローチャートである。
【図６】図６は、映像受信側の映像受信開始処理を示すフローチャートである。
【図７】図７は、映像受信側の映像受信終了処理を示すフローチャートである。
【図８】図８は、映像送信側の映像送信開始処理を示すフローチャートである。
【図９】図９は、映像送信側の映像送信開始処理を示すフローチャートである。
【図１０】図１０は、映像送信側の映像送信終了処理を示すフローチャートである。
【図１１】図１１は、パケットの構成例を示す図面である。
【図１２】図１２は、システムの構成例を示すブロック図である。
【図１３】図１３は、通信局の構成例を示すブロック図である。
【図１４】図１４は、ローカル通信局側の機器切り替え処理を示すフローチャートである。
【図１５】図１５は、リモート通信局側の機器切り替え処理を示すフローチャートである。
【図１６】図１６は、各通信局の間に流れるデータのやり取りの順序を示す図面である。
【図１７】図１７は、機器設定管理テーブルの例を示す図面である。
【図１８】図１８は、選択順序管理テーブルの例を示す図面である。
【図１９】図１９は、機器設定管理テーブルの例を示す図面である。
【図２０】図２０は、選択順序管理テーブルの例を示す図面である。
【図２１】図２１は、機器設定管理テーブルの例を示す図面である。
【図２２】図２２は、選択順序管理テーブルの例を示す図面である。
【図２３】図２３は、コントローラの概観の一例を示す平面図である。
【図２４】図２４は、コントローラの概観の一例を示す平面図である。
【図２５】図２５は、選択順序管理テーブルの例を示す図面である。
【図２６】図２６は、選択順序管理テーブルの例を示す図面である。
【図２７】図２７は、選択順序管理テーブルの例を示す図面である。
【図２８】図２８は、機器設定管理テーブルの例を示す図面である。
【図２９】図２９は、機器設定管理テーブルの例を示す図面である。
【図３０】図３０は、機器設定管理テーブルの例を示す図面である。
【図３１】図３１は、機器設定管理テーブルの例を示す図面である。
【図３２】図３２は、機器設定管理テーブルの例を示す図面である。
【図３３】図３３は、機器設定管理テーブルの例を示す図面である。
【図３４】図３４は、機器設定管理テーブルの例を示す図面である。
【発明を実施するための形態】
【００２０】
本発明のさらに他の目的、特徴、および優れた点は、以下に示す記載によって十分わかるであろう。また、本発明の利益は、添付図面を参照した次の説明で明白になるであろう。
【００２１】
本発明の実施の一形態について図１から図３４に基づいて説明すれば、以下の通りである。
【００２２】
本実施の形態は、コンテンツ選択要求局（ローカル通信局）から、複数のコンテンツ提供局（リモート通信局）が有する各コンテンツのうちから所望のコンテンツを選択するものである。
【００２３】
上記接続対象物（コンテンツ）は、例えばコンテンツ提供局となる通信装置に適宜接続コードなどで接続された機器（ハードウエア）であり、機器例としては、ビデオテープデッキやＤＶＤプレーヤーなどの映像記録再生機器を挙げることができる。そして、例えば、テレビ受像器はあるがＤＶＤプレーヤーがない部屋にいる状態で、他の部屋のＤＶＤプレーヤーを通信により操作して、元の部屋のテレビ受像器にその画像を映し出すような形態をとることができる。この場合、操作者がいる部屋に接続対象物選択要求局としての無線通信装置（局）を置き、ＤＶＤプレーヤーの置いてある部屋に接続対象物提供局としての無線通信装置（局）を置き、この両無線機器同士で通信することで上記のような再生を実現できる。なお、有線でもよい。
【００２４】
以下、このように映像を再生する機器についてシステムを組んだ構成を例にとって、その仕組みを説明する。この場合、接続対象物選択要求局は、映像受信側の通信局であり、各接続対象物提供局は、映像送信側の通信局である。なお、ここでは便宜上、特定の一つの局を接続対象物選択要求局（ローカル通信局）、他の複数の局を接続対象物提供局（リモート通信局）として説明するが、この立場を固定せずに、同じ構成でどの局もローカル・リモートどちらの局にもなれるように構成してもよい。
【００２５】
まず図１６を用いて概要を述べると、本実施の形態では、操作者がコントローラの切替ボタンを押すと、ローカル通信局Ａから、あらかじめ決められた順序に従い、リモート通信局Ｃが選択され、そのリモート通信局Ｃ内においてあらかじめ決められた順序に従い、機器ｆが選択される。操作者がコントローラの切替ボタンを再度押すと、リモート通信局Ｃ内のすべての機器への切替が完了した旨がローカル通信局Ａへ送信されるとともに、上記順序に従い、次のリモート通信局であるリモート通信局Ｂが選択され、そのリモート通信局Ｂ内において同様にあらかじめ決められた順序に従い、機器ａが選択される。それにより、機器等のコンテンツが複数の局に分散されて配置されていても、所望のコンテンツを容易に選択することができるようになっている。
【００２６】
次に、その詳細を述べる。
【００２７】
図３に、以下で説明する処理におけるタイミング図（メッセージ送信の順序と内容を記したもの）を示す。時系列順に（１）初期設定、（２）Scan, Join, Authentication, Association処理、（３）機器情報収集処理、（４）映像送信開始処理、（５）映像送信終了処理と並んでいる。以下、この分類に沿って説明を行う。なお、以下の説明では各フローチャートに記載された全工程を必ずしも重複して説明しないが、各処理は各フローチャートに記載された工程内容に従って適切に行われるものとする。
【００２８】
（初期設定）
まず図３における（１）初期設定について説明する。
【００２９】
以後、通信局の電源が投入された状態を前提として本実施の形態を記述する。通信局の電源の投入された状態とは、通信局が無線部において、受信した無線信号を受信し、その内容を解析できる、かつ、通信局がコントロール信号入力部において、受信したコントロール信号を受信し、その内容を解析できる状態であることを示し、電力消費を抑える等の目的で、上記の動作に必要の無い一部または全てのブロックが動作していないスタンバイの状態でも良い。この場合、通信局制御部１１０４の判断により、必要となった際にそれぞれのブロックを動作させることができるようにしておく。映像送信側の通信局と映像受信側の通信局で、電源を投入する順序は任意である。また、ネットワーク上に映像送信側の通信局と映像受信側の通信局が複数存在する場合にも、それらの電源投入の順序は任意である。
【００３０】
図１は本実施の形態の映像受信側のブロック図、図２は本実施の形態の映像送信側のブロック図である。図１において、コントローラＡ１２００は通信局Ａ１１００のコントローラであり、コントローラａ１３００は映像送信側に存在する機器ａ２３００のコントローラである。本実施の形態においては、映像受信側は１台の通信局に対して、一台の表示装置が接続されているが、表示装置を接続する台数は複数でも良い。映像受信側は１台の通信局に対して、通信局用のコントローラが一台存在する構成であるが、これは複数でも良い。またコントローラは一般的にはリモートコントローラを想定しているが、これは、通信局に内蔵されていても良い。通信局は内蔵されているコントローラとリモートコントローラを両方含んでも良い。映像受信側は１台の通信局に対して、映像送信側に接続されている機器のコントローラが一台存在する構成であるが、これは複数でも良い。映像送信側においては、１台の通信局に対して、３台の機器が接続されているが、映像送信側通信局に接続し得る機器の台数は任意であり、映像送信側通信局に実際に接続される機器の台数も任意である。
【００３１】
以下の処理の流れは、映像受信側については、図４に示すフローチャートに対応するものであり、映像送信側については、図８に示すフローチャートに対応するものである。
【００３２】
（ＳＳＩＤ設定）
ユーザはシステムを使用する前に、ネットワーク設立やセキュリティのための各種ネットワークパラメータの設定を行う。本実施の形態では、ＩＥＥＥ８０２．１１を例としてこれらの処理について記述する。ネットワークに接続する通信局を識別するための機器群をユーザが指定するために、ネットワーク名を入力する場合がある。例えば、ＩＥＥＥ８０２．１１においては、同じ無線ネットワークに接続したい通信局はＳＳＩＤと呼ばれるネットワーク名を同じ値に設定する必要がある。本実施の形態では、次のような方法で、ＳＳＩＤを設定する（Ｓ１０１、Ｓ１５１）。各製品で必ず異なる値となるようなＳＳＩＤ値を、コントローラＡ１２００の接続情報記憶部１２０２に製品の製造時等に記録しておく。通信局Ａ１１００にＳＳＩＤを設定したい場合には、ユーザは通信局Ａ１１００のコントロール信号入力部１１０２とコントローラＡ１２００のコントロール信号出力部１２０１間で通信が可能な位置で、コントローラＡ１２００のユーザ入力部１２０３にて、ＳＳＩＤの設定を行うための操作を行う。この操作は、例えばユーザ入力部１２０３に設けられた、「ＳＳＩＤ設定ボタン」を押す等の操作である。ユーザ入力部１２０３でのユーザからのＳＳＩＤ設定操作を検出したコントローラ制御部１２０４は接続情報記憶部１２０２より製造時に記録されたＳＳＩＤを読み込み、その値を赤外線信号に変換して、コントロール信号出力部１２０１より出力させる。この赤外線信号は通信局Ａ１１００のコントロール信号入力部１１０２にて受信され、通信局制御部１１０４に通知される。通信局制御部１１０４では、この信号よりＳＳＩＤ値を検出し、自局情報記憶部１１０１に保存する。通信局Ａ１１００に設定したのと同じ値を通信局Ｂ２１００のＳＳＩＤとして設定したい場合は、ユーザは通信局Ｂ２１００のコントロール信号入力部２１０７とコントローラＡ１２００のコントロール信号出力部１２０１間で通信が可能な位置で、コントローラＡ１２００のユーザ入力部１２０３にて、ＳＳＩＤの設定を行うための操作を行う。通信局Ｂ２１００では、通信局Ａ１１００と同様の流れで、自局情報記憶部２１０４にＳＳＩＤが保存される。その後、通信局Ａ１１００および、通信局Ｂ２１００はＩＥＥＥ８０２．１１で定められた方法でネットワークを設立する。ネットワーク設立処理の詳細は割愛するが、ＳＳＩＤが異なる通信局同士は通信をしてはならないきまりになっている。このとき、通信局Ａ１１００は自局情報記憶部１１０１からＳＳＩＤを取得し、通信局Ｂ２１００は自局情報記憶部２１０４からＳＳＩＤを取得するので、通信局Ａ１１００と通信局Ｂ２１００がネットワーク設立処理で用いるＳＳＩＤが同じになり、通信局Ａ１１００と通信局Ｂ２１００は同じネットワークに接続することが可能である。もし、さらに別のネットワークを同時に設立したい場合は、ユーザは別のコントローラを使用して、上述のＳＳＩＤ設定処理を行えば、各コントローラの接続情報記憶部に記録されたＳＳＩＤは製品ごとに異なるので、別のＳＳＩＤを設定することになり、複数のネットワークにおいて同じＳＳＩＤを用いたために、通信が混線するということは起こらない。また、本実施の形態では、２台の通信局間でネットワークを設立する際の処理について述べたが、同じネットワークに接続を望む全ての通信局に対して、同一コントローラによるＳＳＩＤ設定の操作を行うことにより、全ての通信局を同じネットワークに接続することが可能である。その場合、全ての通信局に対して同一コントローラを使用してＳＳＩＤを設定する限り、どの通信局のコントローラを用いてＳＳＩＤの設定を行っても良い。
【００３３】
（ＷＥＰキー設定）
ネットワーク上でデータを送受信する際に盗聴などを防ぐために、データを暗号化して送信する場合、その暗号化に使用するキーは送信局と受信局の間で共通のものとしなければならない。例えば、ＩＥＥＥ８０２．１１においては、ＷＥＰ（Wired Equivalent Privacy）暗号化方式を用いている（Ｓ１０２、Ｓ１５２）。この暗号化方式では、送信局はあらかじめ決定しておいた値をキーとして暗号化を行った上で、データを送信する。受信局はあらかじめ決定しておいた値をキーとして複号化を行う。あるキーを使って暗号化されたデータは同じキーを使って複合化すれば、元のデータを復元できるが、キーが異なる場合は、元のデータを復元することはできない。よって、送信局と受信局のみが知るキーを用いて暗号化を行えば、第三者に盗聴されることが無くなる。このような場合に、送信局と受信局で共通のキーを共有するために、本実施の形態では先のＳＳＩＤの設定方法と同様な以下の方法を用いる。各製品で必ず異なる値となるようなＷＥＰキー値を、コントローラＡ１２００の接続情報記憶部１２０２に製品の製造時等に記録しておく。通信局Ａ１１００にＷＥＰキーを設定したい場合には、ユーザは通信局Ａ１１００のコントロール信号入力部１１０２とコントローラＡ１２００のコントロール信号出力部１２０１間で通信が可能な位置で、コントローラＡ１２００のユーザ入力部１２０３にて、ＷＥＰキーの設定を行うための操作を行う。この操作は、例えばユーザ入力部１２０３に設けられた、「ＷＥＰキー設定ボタン」を押す等の操作である。ユーザ入力部１２０３でのユーザからのＷＥＰキー設定操作を検出したコントローラ制御部１２０４は接続情報記憶部１２０２より出荷時に記録されたＷＥＰキーを読み込み、その値を赤外線信号に変換して、コントロール信号出力部１２０１より出力させる。この赤外線信号は通信局Ａ１１００のコントロール信号入力部１１０２にて受信され、通信局制御部１１０４に通知される。通信局制御部１１０４では、この信号よりＷＥＰキー値を検出し、自局情報記憶部１１０１に保存する。通信局Ａ１１００に設定したのと同じ値を通信局Ｂ２１００のＷＥＰキーとして設定したい場合は、ユーザは通信局Ｂ２１００のコントロール信号入力部２１０７とコントローラＡ１２００のコントロール信号出力部１２０１間で通信が可能な位置で、コントローラＡ１２００のユーザ入力部１２０３にて、ＷＥＰキーの設定を行うための操作を行う。通信局Ｂ２１００では、通信局Ａ１１００と同様の流れで、自局情報記憶部２１０４にＷＥＰキーが保存される。その後、例えば、通信局Ｂ２１００より通信局Ａ１１００宛にデータを送信する際に、暗号化が必要とされる場合、通信局Ｂ２１００が自局情報記憶部２１０４より取得したＷＥＰキーを用いて暗号化を施した上でデータを送信すれば、通信局Ａ１１００は自局情報記憶部１１０１より取得したＷＥＰキーで複合化を行えばデータの復元が可能である。しかし、コントローラＡ１２００によるＷＥＰキー設定を行っていない他の通信局はこのデータを復元することはできなくなり、通信局Ｂ２１００と通信局Ａ１１００の間でセキュリティを保った通信が可能となる。もし、さらに別のＷＥＰキーを用いた暗号化を同時に行いたい場合は、ユーザは別のコントローラを使用して、上述のＷＥＰキー設定処理を行えば、各コントローラの接続情報記憶部に記録されたＷＥＰキーは製品ごとに異なるので、別のＷＥＰキーを設定することになり、複数の送受信局の組がネットワーク上に存在する場合にも、各々がセキュリティを保った伝送を行うことができる。また、本実施の形態では、２台の通信局間でＷＥＰキーを共有する際の処理について述べたが、同じＷＥＰキーの共有を望む全ての通信局に対して、同一コントローラによるＷＥＰキー設定の操作を行うことにより、全ての通信局で同じＷＥＰキーを共有することが可能である。その場合、全ての通信局に対して同一コントローラを使用してＷＥＰキーを設定する限り、どの通信局のコントローラを用いてＳＳＩＤの設定を行っても良い。
【００３４】
本実施の形態ではＳＳＩＤの設定とＷＥＰキーの設定を別々に行う例を述べたが、コントローラＡ１２００のユーザ入力部１２０３に設けた１つのボタンをトリガとしてＳＳＩＤの送信とＷＥＰキーの送信を順次行うものとすれば、ＳＳＩＤの設定とＷＥＰキーの設定をユーザは一度のボタン操作で実行することもできる。ネットワークとしてＩＥＥＥ８０２．１１を使用するシステムにおいて、設定するべき項目は以上であるが、その他のネットワークシステムを使用する場合において、ネットワーク設立や、セキュリティのためのパラメータ設定が必要な場合は、あらかじめここで設定しておく。
【００３５】
（通信局ユーザ名設定）
ユーザは後ほど、接続する通信局を指定する際や、自局に接続されている通信局を識別し易くするために、通信局ユーザ名を入力する（Ｓ１０３、Ｓ１５３）。通信局ユーザ名とは、数値や意味の無い文字列ではなく、「２階の子供部屋の通信局」等のようにユーザにわかりやすい通信局のニックネーム等である。例えば、通信局Ａ１１００の通信局ユーザ名を入力する場合は、ユーザはコントローラＡ１２００のユーザ入力部１２０３を用いて文字列入力操作を行う。この操作はコントローラ制御部１２０４において、コントロール信号に変換され、コントロール信号出力部１２０１から出力される。通信局Ａ１１００のコントロール信号入力部１１０２がこの信号を受信すると、通信局制御部１１０４は受信した信号を解析して、文字列等の通信局ユーザ名に変換した上で自局情報記憶部１１０１に保存する。なお、通信局ユーザ名の登録は初めて通信局を起動させる際に行うことが望ましいが、それ以外のタイミングで行っても良い。また、通信局ユーザ名の登録が行われなかった場合は、製品の製造時に設定されたデフォルトの値を使用して通信を行うことが考えられる。
【００３６】
（機器の接続）
次にユーザは映像受信側の無線局と表示機器およびコントローラを接続する（Ｓ１０４）。本実施の形態では、映像受信側については、通信局Ａ１１００の映像信号出力部１１０８から表示機器１４００の映像信号入力部１４０２に対する映像信号の伝達が可能となっている状態をもって、通信局Ａ１１００と表示機器１４００の接続が完了しているものとする。この接続は、本実施の形態では、有線による接続を想定しているが、接続形態は無線であっても構わない。また、本実施の形態においては、コントローラは赤外線信号によるリモートコントローラを想定しているため、コントローラＡ１２００のコントロール信号出力部１２０１と通信局Ａ１１００のコントロール信号入力部１１０２の接続、および、コントローラａ１３００のコントロール信号出力部１３０１とコントロール信号入力部１１０２の接続処理は特に必要では無いが、コントローラと通信局の間で何らかの接続処理が必要な場合は、ここでその接続処理を行うものとする。これは例えば、コントローラが有線で通信局と接続されている場合は、そのケーブルでコントローラと通信局を相互接続することを示す。
【００３７】
さらに、ユーザは映像送信側の通信局と機器を接続する（Ｓ１５４）。本実施の形態では、通信局Ｂ２１００と機器ａ２３００、機器ｂ２４００および機器ｃ２５００を接続する。機器ａ２３００の映像信号出力部２３０１から通信局Ｂ２１００の映像信号入力部２１１０に対する映像信号の伝達と、通信局Ｂ２１００のコントロール信号出力部２１１３から機器ａ２３００のコントロール信号入力部２３０４に対するコントロール信号の伝達が可能となっている状態をもって、通信局Ｂ２１００と機器ａ２３００の接続が完了しているものとする。同様に、通信局Ｂ２１００と機器ｂ２４００、通信局Ｂ２１００と機器ｃ２５００も接続する。映像送信側の機器の接続処理と、映像受信側の機器の接続処理の順序は任意である。また、通信局Ｂに機器を接続する順序も任意である。
【００３８】
（プラグ）
映像送信側の通信局では、後ほど、他の通信局から問合せが有った際に応答するために、自局に接続されている機器の情報を収集して保存しておく（Ｓ１５５）。
【００３９】
本実施の形態では通信局と機器を接続する接続口のことをプラグと呼ぶ。プラグは、各通信局に複数設けられる場合もあり、通信局は、プラグＩＤを割り当ててこれを管理する。通信局は各機器の情報をプラグごとに管理し、この情報をプラグ情報と呼ぶ。本実施の形態では映像信号出力部１１０８や映像信号入力部２１１０，２１１２，２１１４とプラグが対応するので、プラグ情報は各通信局が実装している映像信号出力部や映像信号入力部に対応してエントリが用意されることになる。例えば、映像受信側の通信局１１００においては、映像信号出力部１１０８に接続されている表示機器に対応するエントリをプラグ情報１と呼び、映像送信側の通信局２１００では、映像信号入力部２１１０に接続されている機器ａに対応するエントリはプラグ情報１などのように呼ぶ。
【００４０】
プラグ情報の内容としては、後で述べる機器ユーザ名、接続されている機器の種別、機器から出力されるコンテンツの名称(映画・番組の題名や、ファイル名等)、機器がサポートしているエンコード方式、ビットレート、通信局とその機器の間で情報伝達をする準備が完了しているかどうかの情報、その機器がいずれかの通信局によって現在使用されているかどうかの情報等が挙げられる。
【００４１】
機器ユーザ名、接続されている機器の種別は、ユーザがそのプラグを容易に識別するために使用する情報である。これは、ユーザが機器を選択する前に提示して、選択対象を分かりやすくしたり、現在表示している機器がどのようなものであるかをユーザに示したりするため等に使用する。
【００４２】
機器がサポートしているエンコード方式、ビットレートは、送信側の機器から出力されたコンテンツを受信側の機器で再生できるかどうかという判定や、通信局間のネットワーク経路において、そのコンテンツを伝送するのに十分な帯域が残っているかの判定等に用いる。
【００４３】
通信局と機器の間で情報伝達をする準備が完了しているかどうかの情報は、その機器に切替を許可するかどうかという判定に用いる。また、その機器がいずれかの通信局によって現在使用されているかどうかの情報は、その機器の制御権の管理に用いる。
【００４４】
プラグ情報に含まれる機器ユーザ名とは、数値や意味の無い文字列ではなく、「Ｓ社のＶＴＲ」等のようにユーザにわかりやすい機器のニックネームである。例えば、通信局Ｂ２１００に接続されている機器ａ２３００の機器ユーザ名を入力する場合は、ユーザはコントローラＢ２２００のユーザ入力部２２０３を用いて文字列入力操作を行う。この操作はコントローラ制御部２２０２において、コントロール信号に変換され、コントロール信号出力部２２０１から出力される。通信局Ｂ２１００のコントロール信号入力部２１０７がこの信号を受信すると、通信局制御部２１０９は受信した信号を解析して、文字列等の機器ユーザ名に変換した上で自局情報記憶部１１０１にプラグ情報として保存する。なお、機器ユーザ名の登録は初めて通信局を起動させる際に、通信局に機器を接続した後で行うことが望ましいが、それ以外のタイミングで行っても良い。また、機器ユーザ名の登録が行われなかった場合は、製品の製造時に設定されたデフォルトの値を使用して通信を行うことが考えられる。デフォルト値としては例えば、「入力１」等のように映像信号入力部のそれぞれに対応した番号を設定することが考えられる。
【００４５】
プラグ情報に含まれる機器種別とは、その機器の種別をユーザが識別するための数値や文字列の情報である。この情報は文字列で「ＶＴＲ」等のように指定されても良いし、その意味と値の組の対応付けが全通信局で一意に定められた数値（例えば、数値１は「ＶＴＲ」を意味する等）でも良い。この情報は基本的には機器ユーザ名と同様にコントローラＢ２２００を用いて入力するが、通信局Ｂ２１００が自動的に取得しても良い。
【００４６】
本実施の形態においては、通信局から機器に出力する映像や機器から通信局に入力される映像はアナログ信号であり、それをデジタル信号に変換するのは、映像エンコード部であるので、プラグ情報に含まれるエンコード方式や、ビットレートは、映像エンコード部の性能により決定されることになる。例えば、通信局Ｂ２１００に接続されている機器ａ２３００のプラグ情報を取得する際には、通信局制御部２１０９が、映像エンコード部２１１１に対して、入力された映像信号をデジタル信号にエンコードする際のエンコード方式や、ビットレートの値を通知するように命じ、通知された情報を自局情報記憶部２１０４にプラグ情報として保存する。
【００４７】
（無線接続処理）
次に図３における（２）Scan, Join, Authentication, Association処理について説明する（Ｓ１０５〜Ｓ１０８、Ｓ１５６〜Ｓ１５９）。これは、ローカル通信局において、MLME-Scan. requestを実行する処理である。
【００４８】
初期設定完了後任意のタイミングで、各通信局はネットワーク設立処理を行う。ネットワーク設立処理を開始するトリガはユーザによる何らかの操作が行われた時でも良いし、通信局の独自の判断で自動的に開始されても良い。本実施の形態では、ＩＥＥＥ８０２．１１によるネットワーク設立処理に則って、説明する。ネットワーク経路として用いられるのは、無線に限らず、有線でも良い。また、通信プロトコルはＩＥＥＥ８０２．１１以外のプロトコルでも良い。
【００４９】
ネットワークに接続を試みる通信局は付近に存在するネットワークを発見するために、Scanと呼ばれる処理を行う。Scanを行うと、付近に存在する全てのネットワークについて、各々のネットワークを代表する端末であるAccess Point（以後ＡＰと略称する）よりＳＳＩＤ等の情報が返送されてくる。
【００５０】
Scanで発見したＡＰの内、自局に設定されたＳＳＩＤと同じＳＳＩＤを持つ等の条件に合致するネットワークに対してのみ、Joinと呼ばれる処理を行うことができる。Joinはネットワークに参加する許可をＡＰに要求する処理である。
【００５１】
ネットワークへの参加が許可された場合は、ＡＰより通信局に対してその旨が返信され、Authenticationと呼ばれる処理を行うことができる。ここでは、ＡＰがＷＥＰによる暗号化を施した上でデータ伝送を行う場合に、ＡＰのＷＥＰキーとネットワークに接続しようとする通信局のＷＥＰキーが等しいかどうかの確認を行う。ここでＷＥＰキーが異なる場合には基本的に通信局はネットワークに接続することはできないので、先に述べたような方法によって、ＡＰとネットワークに接続しようとする通信局のＷＥＰキーを等しくしておく必要がある。
【００５２】
最後にＡＰに対して自局の情報を登録するための、Associationと呼ばれる処理を行う。この処理を完了させた時点で通信局はネットワーク内でのデータの送受信が可能となる。
【００５３】
以上が、図４および図８に示すフローチャートに対応する処理である。
【００５４】
以後、通信局同士で通信を行う際にはＭＡＣ（Media Access Control）アドレスと、通信局アドレスの２つのアドレスを使用する。ＭＡＣアドレスは、ＯＳＩ参照モデルにおけるMedia Access Control層で使用する通信局のアドレスであり、無線部１１０６や無線部２１０１において、無線データの送受信の相手を規定するのに用いる。ＭＡＣアドレスは製品の製造時に製品ごとに与えられ、そのアドレスは世界中で唯一の値とならなければならない。通信局アドレスは、ＭＡＣ層よりも上位の層で定められたアドレスで、複数のＭＡＣ層プロトコルにまたがってデータ伝送が行われるようなネットワーク（例えば、無線接続のＭＡＣ層プロトコルとしてＩＥＥＥ８０２．１１が使用され、無線接続部分から外部ネットワークに接続する有線接続の部分では、ＭＡＣ層プロトコルとして、Ethernet（登録商標）が使用されるようなネットワーク）において、ＭＡＣ層の差異を意識せずに各通信局を識別するために定められたアドレスである。本実施の形態では、通信局制御部１１０４や通信局制御部２１０９において、コマンドの送受信の相手を規定するのに用いる。図１１に、パケット構成の例を示す。パケット４０１は、宛先ＭＡＣアドレス４０２、送信先ＭＡＣアドレス４０３、宛先通信局アドレス４０４、送信元通信局アドレス４０５、コマンド識別子４０６、コマンド識別子４０６に応じた内容４０７とを有している。
【００５５】
（機器情報収集）
次に図３における（３）機器情報収集処理について説明する。
【００５６】
以下の処理の流れは、映像受信側については、図５に示すフローチャートに対応するものである。
【００５７】
各通信局は、映像を受信する機器を指定するために、ネットワークに存在する全ての通信局とそれに接続されている機器の情報を収集する。基本的な流れとしては、情報を取得したい通信局が、全通信局宛に機器情報要求コマンドを伝送し、それを受信した通信局が自局の情報を返送するというものである。以下、映像受信側の通信局Ａ１１００が通信局Ｂ２１００の情報を取得する際の処理について述べる。通信局制御部１１０４が無線信号を生成するように無線信号生成部１１０３に命じる。このとき、この無線信号が機器情報要求コマンドであることを示す識別子と、自局情報記憶部２１０４より取得した自局の通信局アドレスを含める。また、無線信号の宛先アドレスとしては、ＭＡＣアドレス、通信局アドレス共に、全通信局宛となるようなアドレスを指定する。生成された無線信号は無線部１１０６を経て送信される（Ｓ１１１）。
【００５８】
通信局Ｂ２１００の無線部２１０１において、無線信号が受信され、無線信号解析部２１０２において、宛先ＭＡＣアドレスから自局宛の無線信号であることが認識されると、さらに、無線信号に含まれる機器情報要求コマンドの識別子と宛先の通信局アドレスおよび、送信元の通信局アドレスを取得し、通信局制御部２１０９に通知する。通信局制御部２１０９は、機器情報要求コマンドの識別子と、宛先の通信局アドレスより、自局宛の機器情報要求コマンドであることを認識すると、送信元の通信局アドレス宛に、機器情報要求コマンド応答であることを示す識別子と、自局情報記憶部２１０４より取得した情報を含めた無線信号を生成するように、無線信号生成部２１０８に命じ、無線部２１０１を経て送信される。このときに、無線信号に含める情報としては、自局のＭＡＣアドレスと通信局アドレス、通信局ユーザ名、自局の全プラグ情報、自局が後述するＩＥＥＥ８０２．１１におけるＨＣであるかどうかという情報等が考えられる。
【００５９】
Ｓ１１２からＳ１１６では、通信局Ａ１１００の無線部１１０６において、無線信号が受信され、無線信号解析部１１０７において、宛先のＭＡＣアドレスから自局宛の無線信号であることが認識されると、さらに、無線信号に含まれる機器情報要求コマンド応答の識別子と、その他の全ての相手局情報を取得し、通信局制御部１１０４に通知する。通信局制御部１１０４は機器情報要求コマンド応答の識別子と宛先の通信局アドレスより、自局宛のコマンドであることを認識すると、無線信号解析部１１０７より通知された全ての相手局情報を相手局の通信局アドレスに関連付けたテーブルとして、他局情報記憶部１１０９に保存する（Ｓ１１５）。
【００６０】
上記の機器情報要求コマンドはネットワーク上の全通信局宛となるように送信されるので、機器情報要求コマンドに対する応答が、通信局Ｂと同様に、ネットワーク上の全ての通信局によって行われることになり、通信局Ａはネットワーク上の全ての通信局とそれに接続されている機器の情報を得ることができる。この時、通信局Ａ１１００の通信局制御部１１０４はネットワーク上の全ての端末から機器情報要求コマンドに対する応答が返ってきたかどうかを知ることができないので、ある一定の時間が経過した時点で、機器情報の収集が完了したものとし、それ以降に受信した機器情報要求コマンドに対する応答は無視する（Ｓ１１３）。ここでは、映像の受信側での処理について述べたが、映像の送信側においても同様の処理により、他の通信局や機器の情報を取得することができる。
【００６１】
なお、ここでは、各通信局が他の通信局のプラグ情報を全て収集する実施例について述べたが、後で述べる１アクションでの切替方法においては、各通信局は、他の通信局がどのような通信局であるかという情報、または、各通信局にどのようなプラグが存在するかという情報を知ること無く切替操作が可能である。
【００６２】
よって、通信局B２１００が機器情報要求コマンド応答の無線信号に含める情報としては、自局のMACアドレスと自局の通信局アドレスの両方、または、一方のみとして構成することも考えられる。
【００６３】
（映像送信開始）
次に図３における（４）映像送信開始処理について説明する。
【００６４】
以下の処理の流れは、映像受信側については、図６に示すフローチャートに対応するものであり、映像送信側については、図９に示すフローチャートに対応するものである。
【００６５】
ネットワーク上の全ての通信局や機器の情報が得られると、映像を送受信する相手となる通信局と機器の組を通信局が自動的に決定する。基本的な流れとしては、通信局Ａ１１００は自局が以前にいずれかの通信局より映像の受信を行っていたかどうかをチェックし（Ｓ１２１）、もし、いずれかの通信局より映像の受信を行っていた場合は、その内で最後に接続していた通信局に対して、映像の送信を要求する（Ｓ１２４、Ｓ１２２）。もし、何れの通信局からも映像を受信していなかった場合には、新たに、映像を受信する相手を特定のルールにしたがって決定する（Ｓ１２３、Ｓ１２４）。
【００６６】
具体的に、映像受信側の通信局Ａ１１００が通信局Ｂ２１００に映像の送信を要求する場合について述べる。以前に通信局Ａ１１００がいずれかの通信局から映像を受信していた場合は、自局情報記憶部１１０１に映像受信相手通信局情報として、最後に映像を受信していた相手の通信局アドレス、ＭＡＣアドレス、通信局ユーザ名、プラグＩＤ、プラグ情報等が保存されているものとする。いずれの通信局からも映像を受信したことが無い、映像を受信していた通信局が明示的に離脱処理を行った上でネットワークから消失した、または、映像を受信していた時からある一定の期間が経過している等の場合には、この映像受信相手通信局情報は消去されているものとする。
【００６７】
通信局が明示的に離脱処理を行った上でネットワークから離脱する場合の具体例を図１を用いて説明する。図１において、無線局Ａ１１００を映像受信機、表示機器１４００をＴＶ、コントローラＡを映像受信機のリモコンとすると、通信局が明示的に離脱処理を行った上でネットワークから離脱する具体例としては以下のような２つの状況が考えられる。
【００６８】
第１の状況は、ユーザが映像受信機（通信局Ａ１１００）のリモコン（コントローラＡ１２００）によって、映像受信機（通信局Ａ１１００）の電源をＯＦＦにする操作を行った場合である。ユーザが映像受信機（通信局Ａ１１００）を介しての映像の視聴を終了しようとする場合にこのような操作を行うことが考えられる。コントローラＡ１２００からのコントロール信号を通信局Ａ１１００が受信すると、通信局Ａ１１００は無線部Ａ１１０６を介してネットワークからの離脱を示す無線信号を送出する。
【００６９】
第２の状況は、ユーザがＴＶ（表示装置１４００）の電源をＯＦＦにする操作を行った場合である。この場合、映像受信機（通信局Ａ１１００）はＴＶ（表示機器１４００）の電源ＯＦＦを検出する手段（図示しない）を持つものとする。ユーザがＴＶ（表示機器１４００）での映像の視聴を全て終了したい場合に、このような操作を行うことが考えられる。通信局Ａ１１００が図示しない手段により表示機器の電源がＯＦＦになったことを検出すると、通信局Ａ１１００は無線部Ａ１１０６を介してネットワークからの離脱を示す無線信号を送出する。
【００７０】
通信局Ａ１１００の通信局制御部１１０４は自局情報記憶部１１０１に映像受信相手通信局情報が保存されているかどうかチェックし、この情報が保存されていた場合は以下の処理は省略して、そこに保存されている通信局アドレス、ＭＡＣアドレス、プラグＩＤで規定される相手に対して、映像送信の要求を行う。映像受信相手通信局情報が保存されていなかった場合は、先ほど他局情報記憶部２１０５に保存しておいた、取得した全通信局の情報を元に新たに映像を受信する相手となる通信局と機器の組を選択し、映像送信の要求を行う。選択の方法としては、例えば、ＭＡＣアドレスを数値として見た時にもっとも小さな値となる通信局を選択し、その通信局内で最も小さなプラグＩＤのプラグ情報で規定される機器を選択する等の方法が考えられる。
【００７１】
（映像送信要求）
なお、接続する機器を映像受信相手通信局情報に従って選択した場合も、新たに選択した場合も、先に取得したプラグ情報を参照し、その機器が使用可能かどうかを判定して、なんらかの理由で使用不可能であると判定された場合は、その機器の選択を取りやめて、別の機器を選択することも考えられる。
【００７２】
機器の選択を取りやめる条件としては、次の（１）〜（４）等が考えられる。
（１）映像送信側通信局と機器の間で情報伝達をする準備が完了していない。（物理的に接続されていない、電波が届かない、プロトコル上の接続手順が完了していない等）
（２）映像受信側通信局と映像送信側通信局の間での伝送経路において、選択された機器から出力されるデータを伝送するための帯域が足りない。（ネットワーク経路を複数のデータの伝送（送信元としては映像受信側通信局、映像送信側通信局、その他の通信局が考えられる。）のために共用する場合に、別のデータの送信のためにネットワーク経路が既に使用されているため、伝送帯域が足りない場合等）
（３）プラグ情報にて、そのプラグが使用中であることが示されている。
（４）選択された機器から出力される映像を映像受信側で再生できない。（受信側通信局や表示機器がエンコード方式やビットレートに対応していない場合等）
また、選択を取りやめた場合は別の候補を選択するが、その候補の選択方法としては、次の（１）（２）等が考えられる。
（１）あらかじめ映像受信相手通信局情報を複数保存しておき、その履歴を新しい順番に遡る。（保存している映像受信相手通信局情報が無くなったら、選択方法を下記の（２）に変更する。）
（２）ＭＡＣアドレスやプラグＩＤを数値として見た場合に、昇順や降順に選択してゆく。
【００７３】
ここでは、映像の受信側の通信局Ａ１１００が映像の送信側の通信局Ｂ２１００に対して通信確立を要求する例について述べたが、逆に、映像の送信側の通信局Ｂ２１００から通信確立を要求しても良い。ここでは、ユーザが明示的に指定しなくても、自動的に何らか通信局と機器の組が選択されるという例について述べたが、ユーザが選択するまではどの通信局と機器の組も選択されないというシステムも考えられる。
【００７４】
なお、ここでは、映像受信側の通信局が最後に映像を受信していた相手のアドレス（通信局アドレスやMACアドレス）とプラグＩＤの両方を保存しておく方法について述べたが、映像受信側の通信局が最後に映像を受信していた相手のアドレスだけを保存し、映像送信側の通信局がプラグＩＤに当たる情報を保存しておく方法も考えられる。この場合の情報の管理方法については、後ほど述べる。
【００７５】
映像を受信する相手が決定すると、映像送信の要求を行う（Ｓ１２４）。先に述べたような方法で、通信局Ａ１１００が映像受信を行う相手を通信局Ｂ２１００に決定したものとして、具体的に、通信局Ａ１１００が通信局Ｂ２１００に対して映像送信を要求する際の処理について述べる。通信局Ａ１１００の通信局制御部１１０４は無線信号を生成するように無線信号生成部１１０３に命じる。このとき、この無線信号が映像送信要求コマンドであることを示す識別子と、自局の通信局アドレス、さらに映像を受信する相手として選択された機器の接続されているプラグＩＤと、その機器が接続されている通信局の通信局アドレスとを含める。また、無線信号の宛先ＭＡＣアドレスとしては、先に選択された通信局のＭＡＣアドレスを他局情報記憶部１１０９より取得して指定する。生成された無線信号は無線部１１０６を経て送信される。
【００７６】
通信局Ｂ２１００の無線部２１０１において、無線信号が受信され（図９のＳ１６２）、無線信号解析部２１０２において、宛先ＭＡＣアドレスから自局宛の無線信号であることが認識されると、さらに、無線信号に含まれる映像送信要求コマンドの識別子、宛先の通信局アドレス、映像送信が要求されているプラグＩＤおよび、送信元の通信局アドレス等を取得し、通信局制御部２１０９に通知する。通信局制御部２１０９は、映像送信要求コマンドの識別子と、宛先の通信局アドレスより、自局宛であることと、そのコマンドの意味を認識すると、プラグＩＤで指定された機器からの映像送信を送信要求元に対して許可するかどうかを判定する（Ｓ１６４）。判定基準の要素としては、その機器が現在使用中かどうか、機器の電源が入っているか、機器からの映像信号が入力されてきているか等が考えられる。これらの内のどの要素を元に判定するかは任意である。
【００７７】
このとき、必要ならば、映像送信を許可する機器のプラグ情報を更新する（Ｓ１６６）。更新する必要のある情報としては、機器が使用されているかどうかという情報や、その機器の映像を送信する先の通信局の通信局アドレスやＭＡＣアドレス等が考えられる。
【００７８】
また、判定の結果映像送信を許可しない場合は、映像送信を許可しない理由を示す情報を含めた、映像送信要求コマンド応答の無線信号を生成し、無線部２１０１より送信する（Ｓ１６５）。本実施の形態では、映像送信を許可しない理由を示す情報は全通信局であらかじめ値とその意味を規定しておくものとする（例えば、値１は「指定された機器が現在使用中であるため、映像送信を許可しない」という意味を持たせる等）。また、その内のある値が映像送信を許可することを意味するものとする。さらに、このような値を応答ステイタスと呼ぶ。
【００７９】
もし、映像送信側に別のユーザが居て、機器ａを既に使用中であり、機器ａの映像送信を許可してもらいたくないような場合には、映像送信側のユーザはあらかじめ、通信局Ｂ２１００のコントローラであるコントローラＢ２２００のユーザ入力部２２０３で操作を行うことで通信局Ｂ２１００にそのことを指定しても良い。この操作とは例えば、「機器ａの不送信モードボタンを押す」等の操作である。ユーザ入力部２２０３での入力を検出したコントローラ制御部２２０２は不送信モード設定信号を生成し、コントロール信号出力部２２０１を経て出力する。通信局Ｂ２１００のコントロール信号入力部２１０７がこの信号を受信すると、通信局制御部２１０９が不送信モード設定信号であることを検出し、自局情報記憶部２１０４に保存されているプラグ情報の内、指定された機器に対応するプラグ情報を更新する。その後、他の通信局から映像送信要求が行われた際には、ここで更新されたプラグ情報を元に映像送信を許可するかどうか判定するので、映像送信側のユーザが指定した機器に対する映像送信要求は拒否されることになる。
【００８０】
なお、映像送信を許可しない場合は、通信局Ｂ２１００が自局中の別のプラグを自動的に選択し、映像送信を許可することを意味する応答ステイタスと共に、自動的に選択したプラグのIDを含めて、映像送信要求コマンド応答の無線信号を返送しても良い。
【００８１】
また、このときに、自局中の全てのプラグについて映像送信を許可しないと判定された場合には、その旨を示す応答ステイタスを返送することも考えられる。
【００８２】
（映像送信のための無線区間での準備）
その後の任意のタイミングで、映像送信側の通信局は、映像の送信を開始する（Ｓ１６７〜Ｓ１７２）。
【００８３】
以下に、本実施の形態において、通信局Ｂ２１００が通信局Ａ１１００に対して機器ａ２３００から入力された映像の送信を開始するまでの流れを記述する。本実施の形態では、映像伝送を行う際に、無線経路において他の通信局に伝送を割り込まれずに、決められたビットレートで伝送を行うために、ＩＥＥＥ８０２．１１における通信帯域保証の仕組みを用いる。ＩＥＥＥ８０２．１１における帯域保証においては、一まとまりのデータの流れをストリームと呼び、ストリームの送信局または受信局が、ストリームごとにその伝送に必要なビットレート等をＨＣ（Hybrid Coordinator）と呼ばれる帯域管理を行う通信局に登録し、ＨＣがすべてのストリームの都合を考慮した上で、送信権を各通信局に与え、送信権を与えられた期間のみ各通信局は通信を行うことが可能となる。ＨＣが各ストリームの都合に合うように送信権のスケジューリングを行うことで、各ストリームに与えられる通信帯域が保証される。
【００８４】
映像送信側の通信局Ｂ２１００の通信局制御部２１０９が、機器ａ２３００や自局の状態を鑑みて、映像送信を開始できると判断すると、無線信号生成部２１０８に対して、ADDTS-request無線信号を生成するように命じる。この信号の内容の詳細は割愛するが、これはＩＥＥＥ８０２．１１ｅの草稿に従うものとする。この信号には、ストリームの送信局と受信局のＭＡＣアドレスや、ストリームとして伝送したいデータ列の伝送に必要とされるビットレート等の情報（ストリーム情報と呼ぶ）を含める必要がある。ストリームの送信局アドレスとしては、自局情報記憶部２１０４より取得した自局のＭＡＣアドレスを指定する。ストリームの受信局アドレスとしては、他局情報記憶部２１０５にプラグ情報として保存されている、映像伝送先の通信局のＭＡＣアドレスを指定する。更に、プラグ情報として保存されている映像エンコード部より通知されたビットレート等の情報をストリーム情報として指定する。このとき足りない情報は適当な値で補完する。また、ADDTS-request無線信号の宛先はＨＣとする必要があるが、ネットワーク上のいずれかの通信局がＨＣであり、どの通信局がＨＣであるかは、先に述べた通信局情報を収集した際に確認できており、そこで得たＨＣのＭＡＣアドレスを指定するものとする。生成されたADDTS-request無線信号は無線部２１０１を経て送信される。本実施の形態では、映像送信側が通信帯域保証のためのストリーム情報のＨＣへの登録を行っているが、映像受信側がストリーム情報の登録を行っても良い。
【００８５】
ＨＣである通信局がADDTS-request無線信号を受信すると、ストリームの送信局もしくは受信局とＨＣの間で何度か無線信号のやり取りが行われ、帯域保証のための準備が整えられるが、これはＩＥＥＥ８０２．１１ｅの草稿に従うものとし、割愛する（Ｓ１６７）。
【００８６】
ストリームの送信局、受信局およびＨＣの間でストリーム伝送の準備が整った後で、ストリームの送信局がトリガをかけることにより、ＨＣはストリーム送信局に対して送信権の付与を開始する。通信局Ｂ２１００の通信局制御部２１０９がＡＤＤＴＳ処理が完了させて（Ｓ１６７）、ストリーム伝送の準備が整ったことを検出すると、コントロール信号出力部２１１３に、機器ａ２３００に対する映像出力開始信号を出力するように命じる（Ｓ１６８）。
【００８７】
（コントロール信号の記録）
このとき、機器ａに対する映像出力開始信号を出力するためには、通信局Ｂ２１００が機器ａの映像出力開始信号をあらかじめ記憶しておく必要があるが、本実施の形態では以下のような方法でこの信号を記憶する。
【００８８】
ユーザは通信局Ｂ２１００に機器ａ２３００を接続する時に前後して、通信局Ｂ２１００のコントローラであるコントローラＢ２２００と、機器ａ２３００のコントローラであるコントローラａ１３００の両方を、それぞれのコントローラのコントロール信号出力部１３０１、Ａ２２０１が、通信局Ｂ２１００のコントロール信号入力部２１０７に対してコントロール信号を入力できるような位置に持ってくる。ユーザはまず、コントローラＢ２２００のユーザ入力部２２０３において、映像出力開始信号の記録を開始することと、映像出力開始信号の記録を行う対象となる機器に対応するプラグＩＤを指定するための操作を行う。この操作とは例えば、記録の開始を指定するための「リモコン学習ボタン」を押し、記録を行うプラグＩＤを指定するための「入力ボタン」を押すことである。一つのボタンにこれらの機能をまとめても良い。ユーザ入力部２２０３での操作を検出したコントローラ制御部２２０２はコントロール信号出力部２２０１に、コントロール信号記録開始信号と、プラグＩＤ指定信号を出力させる。
【００８９】
通信局Ｂ２１００のコントロール信号入力部２１０７において、これらの信号が入力されたことを検出すると、通信局制御部２１０９は映像出力開始信号記録モードに入る。このとき、ユーザに対して映像出力開始信号記録モードに入ったことを何らかの方法で通知しても良い。通知する方法としては、通信局Ｂ２１００に設けたＬＥＤを点灯させる等が考えられる。
【００９０】
次にユーザは、コントローラａ１３００のユーザ入力部１２０３において、機器ａ２３００の映像出力を開始させるための操作を行う。この操作は例えば、機器ａ２３００がＶＴＲだとすれば、「電源ボタン」や「再生ボタン」を押すことである。ユーザ入力部１２０３での操作を検出したコントローラ制御部１３０３はコントロール信号出力部１３０１に、映像出力開始信号を出力させる。
【００９１】
通信局Ｂ２１００のコントロール信号入力部２１０７は、映像出力開始信号記録モード中に、映像出力開始信号が入力されたことを検出すると、通信局制御部２１０９が自局情報記憶部２１０４に保存可能な信号に変換する処理（例えばコントロール信号が赤外線信号であればそれをサンプリングしてデジタル信号に変換する等）を行った上で、通信局制御部２１０９に通知する。
【００９２】
通信局制御部２１０９は先にコントローラＢ２２００によって指定されたプラグＩＤに対応するプラグ情報として、コントロール信号入力部２１０７より通知された映像出力開始信号を自局情報記憶部２１０４に保存する。
【００９３】
信号の記録が終了したらユーザは再びコントローラＢ２２００によって、映像出力開始信号の記録を終了させることを通信局Ｂ２１００に通知する。通信局制御部２１０９では、この信号の受信をもって映像出力開始信号記録モードを終了させ、コントローラａ１３００からのコントロール信号の記録を終了する。
【００９４】
後ほど、機器ａ２３００に対して映像出力開始信号を出力する必要があるときには、通信局制御部２１０９が自局情報記憶部２１０４において、プラグＩＤから機器ａ２３００のプラグ情報を検索して、その中の映像出力開始信号を抽出し、コントロール信号出力部２１１３に対してこの信号を出力させれば良い。
【００９５】
このような操作を通信局Ｂ２１００に接続する全ての機器について行うことで、通信局Ｂ２１００は接続されている全ての機器に対する映像出力開始信号を出力することが可能となる。
【００９６】
なお、映像出力開始信号記録モード中に関係の無い無線信号を受信した場合には無視することも考えられる。
【００９７】
なお、ここでは、機器に映像出力を開始させるためのコントロール信号の記録方法について述べたが、映像出力停止（リモコンの停止ボタン等に対応）やコンテンツ制御（リモコンの早送りボタン、巻戻しボタン等に対応）のためのコントロール信号等、他の信号も同様の方法で記録させることが可能である。
【００９８】
（機器の映像出力開始）
機器ａ２３００のコントロール信号入力部２３０４で映像出力開始信号が受信されると、信号が解析されて、機器制御部２３０３において、映像出力開始信号であることが認識され、機器制御部２３０３は映像生成部２３０２に映像を生成するように命じる。映像生成部２３０２は映像を生成し、映像信号出力部２３０１を通じて、通信局Ｂ２１００の映像信号入力部２１１０に映像信号を送信する。
【００９９】
通信局Ｂ２１００の映像信号入力部２１１０において機器ａ２３００より映像信号が入力されたことを検出したことを持って（Ｓ１６９、Ｓ１７０）、通信局制御部２１０９は映像信号入力が成功したと判断する。このとき、映像エンコード部２１１１は入力された映像信号をエンコードするが、このエンコード済みの映像信号は、実際に無線信号で伝送が完了するまでは（再送等を行う場合はそれが完了するまで）、映像エンコード部２１１１にて保存しておく。保存する場所については、通信局制御部２１０９でも良い。もし、コントロール信号出力部２１１３から映像出力開始信号を出力してから一定時間が経過（タイムアウト）しても（Ｓ１７３）、通信局Ｂ２１００の映像信号入力部２１１０に映像信号が入力さなかった場合は、通信局制御部２１０９は映像信号の入力が失敗していると判断する。
【０１００】
映像信号の入力が成功した場合は、通信局制御部１１０４は映像送信要求コマンド応答であることを示す識別子を含めた無線信号を生成するように、無線信号生成部２１０８に命じる。このとき、自局の通信局アドレスと、映像送信を許可するプラグＩＤ等と共に、映像送信を許可し、映像の送信にも成功したことを示す情報を含める。また、無線信号の宛先ＭＡＣアドレスとしては、映像送信要求元の通信局のＭＡＣアドレスを他局情報記憶部２１０５より取得して指定する。生成された無線信号は無線部２１０１を経て送信される（Ｓ１７１）。
【０１０１】
映像信号の入力が失敗した場合は、通信局制御部１１０４は映像送信要求コマンド応答であることを示す識別子を含めた無線信号を生成するように、無線信号生成部２１０８に命じる。このとき、自局の通信局アドレスと、映像送信を許可するプラグＩＤ等と共に、映像送信を許可するが、機器からの映像入力が失敗したことを示す情報を含める。また、無線信号の宛先ＭＡＣアドレスとしては、映像送信要求元の通信局のＭＡＣアドレスを他局情報記憶部２１０５より取得して指定する。生成された無線信号は無線部２１０１を経て送信される（Ｓ１７４）。
【０１０２】
このとき、通信局Ｂ２１００は機器ａ２３００からの映像信号の入力に成功するまで、映像出力開始信号を一定回数再送した上で、映像送信要求コマンド応答を返送することも考えられる。
【０１０３】
映像信号の入力の成功または失敗が確定すると、通信局制御部２１０９は、ＨＣに対して送信権付与を開始するように要求する。この方法については、ＩＥＥＥ８０２．１１ｅの草稿に準拠するものとするが、詳細は割愛する。
【０１０４】
ストリームの送信局である通信局Ｂ２１００より、送信権付与を開始するように要求されると、ＨＣは送信権付与を意味する無線信号を通信局Ｂ２１００のＭＡＣアドレス宛に送信する。この無線信号には、送信権を付与する期間の情報が含まれている。
【０１０５】
映像信号入力が成功していた場合、送信権付与を意味する無線信号が通信局Ｂ２１００の無線部２１０１で受信されると、無線信号解析部２１０２を経て、送信権が付与されたことが通信局制御部２１０９に通知される。この際、無線信号に含まれていた送信権を付与される期間の情報も通知される。通信局制御部１１０４はこの期間が経過するまでの間、映像エンコード部で保存されているエンコード済みの映像信号を一定の分量ずつ取り出し、無線信号生成部１１０３に取り出した分の映像信号を含めた無線信号を生成するように命じる。このとき、この無線信号には映像信号を伝送していることを示す識別子等を含め、受信側で無線信号を受信した際に、映像信号を含んでいることを識別できるようにしておく。また、受信側で映像信号の送信元を特定するために、自局の通信局アドレスや映像信号を入力してきている機器のプラグＩＤを含める。無線信号の宛先通信局アドレスおよび、宛先ＭＡＣアドレスは、他局情報記憶部１１０９より取得して設定する。この無線信号は、無線部２１０１を経て送信される（Ｓ１７２）。
【０１０６】
なお、映像信号入力が失敗していた場合に、送信権を付与された際には、通信局Ｂ２１００にて、ダミーの映像を生成して、受信側に送信しても良い。この場合、通信局Ｂ２１００の通信局制御部２１０９はダミーの映像信号を生成して、これをエンコードした信号を一定の分量ずつ取り出し、無線信号生成部１１０３に取り出した分の映像信号を含めた無線信号を生成するように命じる（Ｓ１７５）。
【０１０７】
ダミーの映像としては、ブルーバック等が考えられる。この映像のエンコード方式やビットレート等は先にＡＤＤＴＳ処理で登録したものと同じものとする。通信局制御部２１０９ではなく、映像エンコード部２１１１がダミーの映像を生成することも考えられる。受信側ではこのダミーの映像が受信され表示機器に表示されることになるが、ユーザはブルーバックの映像になっていることから映像が正しく受信できていないことを認識することができる。
【０１０８】
ここまでで、映像送信局側は図９における「Ｂ２」のステップまで到達している。
【０１０９】
（映像受信処理）
受信側で、映像送信要求コマンド応答を受信した際の処理について述べる（図６のＳ１２５以降）。通信局Ａ１１００の無線部１１０６において、無線信号が受信され、無線信号解析部１１０７において、宛先ＭＡＣアドレスから自局宛の無線信号であることが認識されると、さらに、無線信号に含まれる映像送信要求コマンド応答の識別子、宛先の通信局アドレス、送信元の通信局の通信局アドレス、映像送信を要求したプラグＩＤ、応答ステイタスおよび、送信元の通信局アドレス等を取得し、通信局制御部１１０４に通知する。通信局制御部１１０４は、映像送信要求コマンド応答の識別子と、宛先の通信局アドレスより、自局宛であることと、そのコマンドの意味を認識する。通信局制御部１１０４は応答ステイタスの意味を解釈して、その意味に見合ったメッセージを映像信号に重畳するように、映像重畳部１１０５に命じる。重畳された信号は、映像信号出力部１１０８から表示機器１４００の映像信号入力部１４０２に入力されて、表示機器制御部１４０３を経て表示部１４０４に表示され、ユーザに提示される（Ｓ１３０）。このとき、単にエラーを表示するだけではなく、自動的に別の通信局や機器に対して映像送信を要求しても良い。また、ユーザにエラーメッセージを提示する方法は、映像受信側の通信局Ａ１１００に接続されている表示機器１４００の表示部１４０４に文字列やアイコンで表示しても、通信局Ａ１１００にエラーを提示するためのＬＥＤやＬＣＤを設けても良い。
【０１１０】
応答ステイタスが映像送信を許可しないことを示す値だった場合（Ｓ１３１）、ユーザの入力待ちの状態となる。なお、映像送信要求コマンドの応答が返ってこなかった場合（Ｓ１２７）にも、ユーザに対してエラーメッセージを表示する。この場合、相手通信局により、映像送信を許可されなかった場合とは異なる理由で映像送信の要求が成功しなかったことをユーザが理解し易いメッセージを表示することが好ましい。例えば、「無線信号に対する応答が返ってきませんでした」等というメッセージが考えられる。
【０１１１】
応答ステイタスが映像送信の許可を示す値だった場合、映像受信の待ち受け状態となって（Ｓ１３２）、映像が送信されてくるのを待つ。
【０１１２】
一定時間が経過しても映像信号を含む無線信号が受信できなかった場合は（Ｓ１３３）、映像送信の許可はされたが、その後映像信号が送信されてきていないことをユーザに提示して（Ｓ１３６）ユーザの操作待ちの状態となる。この場合、通信局Ａ１１００が図６における「Ａ３」の状態に到達している。
【０１１３】
映像が正しく受信された場合の処理について述べる。通信局Ａ１１００の無線部１１０６において、無線信号が受信され（Ｓ１３４）、無線信号解析部１１０７において、宛先ＭＡＣアドレスから自局宛の無線信号であることが認識されると、さらに、映像信号が含まれていることを示す識別子、宛先通信局アドレス、送信元通信局アドレス、送信元のプラグＩＤおよび、映像信号そのものを取得し、通信局制御部１１０４に通知する。通信局制御部１１０４は、映像信号が含まれていることを示す識別子と、宛先の通信局アドレスより、自局宛であることと、映像信号を受信したことを認識すると、この信号を映像デコード部１１１０に送る。映像デコード部１１１０では、受信した映像信号を表示機器１４００で表示可能な形式にデコードする。このとき更に、通信局制御部１１０４にて、送信元通信局アドレスやプラグＩＤをキーとして、他局情報記憶部２１０５を検索し、送信元通信局の通信局ユーザ名や機器ユーザ名等の情報を取得する。これらの情報は必要であれば、映像重畳部１１０５において、映像デコード部１１１０にてデコードされた映像に文字やアイコンの映像として重畳する。このとき重畳する映像としては、映像送信元の通信局の通信局ユーザ名、機器ユーザ名等の文字情報等が考えられる。デコードされた映像信号に文字情報等を重畳した上で、映像信号出力部１１０８を経て表示機器１４００の映像信号入力部１４０２に入力する。
【０１１４】
表示機器１４００では映像信号入力部１４０２より入力された映像信号を表示機器制御部１４０３を経て表示部１４０４に表示する（Ｓ１３５）。これでユーザは通信局Ｂ２１００から伝送されてきた映像を閲覧することが可能である。ここまでで、通信局Ａ１１００は図６における「Ａ３」の状態に到達している。
【０１１５】
以上が、図６、図９に示すフローチャートに対応する処理である。
【０１１６】
（コントローラによる機器の操作）
ユーザがコントローラを使って機器を操作する際の処理について記述する。
【０１１７】
本実施の形態では、映像受信側でユーザがコントローラａ１３００を操作することにより、そのコントロール信号が映像送信側の機器ａ２３００に伝達され、機器ａ２３００の操作を行う。以下にこの時の具体的な流れを記述する。ストリームの送信局、受信局およびＨＣの間でストリーム伝送の準備が整った後の任意のタイミングで、ユーザはコントローラａ１３００のユーザ入力部１３０３にて、所望の操作を行う。この操作は例えば、コントローラａ１３００をＶＴＲのリモコンだとすれば、早送りボタンを押すことである。以下、ユーザの操作を機器に伝達するまでの処理の例として早送り操作を行う場合の処理について述べる。ユーザ入力部１３０２での操作を検出したコントローラ制御部１３０３は早送り開始信号を生成し、コントロール信号出力部１３０１を経て出力する。なお、ユーザに、ストリームの送信局、受信局およびＨＣの間でストリーム伝送の準備が整ったことを提示し、ユーザはその後でコントローラａ１３００を操作することが望ましいが、ストリーム伝送の準備が整う前にユーザがコントローラａ１３００の操作を行った場合にはエラーメッセージを表示する等の対応をとってもよい。このエラーメッセージの表示も困難な場合は、何もしなくても、ユーザは映像が表示されなかったことをもって、操作が失敗したと認識し、再度コントローラａ１３００の操作を行うと言うことを前提としてシステムを構築しても良い。
【０１１８】
通信局Ａ１１００のコントロール信号入力部１１０２では早送り開始信号を受信すると、無線信号として伝送可能な信号に変換する処理（例えばコントロール信号が赤外線信号であればそれをサンプリングしてデジタル信号に変換する等）を行った上で、通信局制御部１１０４に通知する。以下では、この変換されたコントロール信号を「変換後コントロール信号」と呼ぶ。通信局制御部１１０４では、変換後コントロール信号が含まれることを示す識別子と、コントロール信号入力部１１０２より通知された変換後コントロール信号を含めて無線信号を生成するように、無線信号生成部１１０３に命じる。このとき、自局の通信局アドレスと、映像送信元となる通信局の通信局アドレス、映像送信元となるプラグＩＤ等を含め、無線信号の宛先ＭＡＣアドレスとしては、映像送信元の通信局のＭＡＣアドレスを指定する。これらの情報は他局情報記憶部２１０５より取得する。
【０１１９】
通信局Ｂ２１００の無線部２１０１において、無線信号が受信され、無線信号解析部２１０２において、宛先ＭＡＣアドレスから自局宛の無線信号であることが認識されると、さらに、変換後コントロール信号が含まれることを示す識別子、宛先の通信局アドレス、映像送信が要求されているプラグＩＤ、変換後コントロール信号および、送信元の通信局アドレス等を取得し、通信局制御部２１０９に通知する。通信局制御部２１０９は、変換後コントロール信号が含まれることを示す識別子より、変換後コントロール信号が含まれていることを認識すると、プラグＩＤで指定された機器に対応するコントロール信号出力部２１１７に対して、無線信号解析部２１０２より通知された変換後コントロール信号を出力するよう命じる。コントロール信号出力部２１１３では、変換後コントロール信号を再びコントロール信号として出力可能な信号に復元（例えば、サンプリングされたデジタル信号を再び赤外線信号に戻す）し、早送り開始信号をコントロール信号として出力する。
【０１２０】
機器ａ２３００のコントロール信号入力部２３０４でコントロール信号が受信されると、信号が解析されて、機器制御部２３０３は機器ａ２３００全体をコントロール信号で指定された通り早送り操作を実行する。
【０１２１】
（映像送信終了）
次に図３における（５）映像送信終了処理について説明する。
【０１２２】
以下の処理の流れは、通信局Ａ１１００については図７、通信局Ｂ２１００については図１０に示すフローチャートに対応するものである。
【０１２３】
映像の表示中に映像の伝送を終了したい場合には、ユーザは、通信局Ａ１１００のコントローラである、コントローラＡ１２００のユーザ入力部１２０３を操作することで、映像の伝送を終了させることを指示する。この操作とは、具体的には、コントローラＡ１２００に設けられた「通信局電源ＯＦＦボタンを押す」等の操作である。
【０１２４】
ユーザ入力部１２０３での操作をコントローラ制御部１２０４が検出すると、映像伝送終了信号を出力するようにコントロール信号出力部１２０１に命じる。映像伝送終了信号が通信局Ａ１１００のコントロール信号入力部１１０２にて受信されると、通信局制御部１１０４はユーザが映像伝送の終了を要求していることを知る（Ｓ１４２）。
【０１２５】
ここで、通信局Ａは自局が映像を送信や受信している全ての通信局に対して、映像伝送の終了を指示する。その例として通信局Ｂに映像伝送の終了を指示する場合の処理について述べる。
【０１２６】
通信局Ａの通信局制御部１１０４は映像送信終了コマンドを示す識別子を含んだ無線信号を生成するように無線信号生成部１１０３に命じる。この時、通信局Ｂの通信局アドレスやＭＡＣアドレスと、プラグＩＤを他局情報記憶部１１０９より取得して無線信号に含める。生成された無線信号は無線部１１０６を経て送信され（Ｓ１４４）、その後無線信号の待ち受け状態となる（Ｓ１４５）。
【０１２７】
映像送信終了コマンドを含む無線信号を、通信局Ｂ２１００が正しく受信できた場合には（図１０のＳ１８２）、通信局Ｂ２１００は送達確認無線信号を返送し（Ｓ１８４）、通信局Ａ１１００はこの送達確認無線信号を受信した（Ｓ１４７）ことをもって、通信局Ｂ２１００に映像送信終了の意図が伝わったものと認識する。一定期間が経過しても送達確認無線信号が返送されてこなかった場合（Ｓ１４６）は、映像送信終了コマンドを含む無線信号が通信局Ｂ２１００に正しく受信されなかったと認識し、通信局Ｂ２１００より送達確認無線信号を受信できるまで、映像送信終了コマンドを含む無線信号を再送する等の処理を行う（Ｓ１４４）ことも考えられる。
【０１２８】
上記のような処理を通信局Ａは自局が映像を送信や受信している全ての通信局に対して行う。
【０１２９】
最終的に通信局Ａ１１００が他のどの通信局からも映像を受信していない状態となった場合、電力消費を抑えるために、通信局制御部１１０４の制御により、不要なブロックの動作を停止させてスタンバイ状態に移行しても良い。ただし、先述のとおり、完全に電源が切断された状態に移行すると、他の機器からの無線信号に応答できなくなるので、完全に電源が切断された状態に移行することは望ましくない。
【０１３０】
通信局Ｂ２１００の無線部２１０１において、無線信号が受信され（Ｓ１８２）、無線信号解析部２１０２において、宛先ＭＡＣアドレスから自局宛の無線信号であることが認識されると、さらに、映像伝送終了コマンドを示す識別子、宛先の通信局アドレス、映像伝送の終了が要求されているプラグＩＤ等を取得し、通信局制御部２１０９に通知する。通信局制御部２１０９は、映像送信終了コマンドを示す識別子と、宛先の通信局アドレスより、自局宛であることと、そのコマンドの意味を認識すると、以後の映像信号を含む無線信号の伝送を中止する。そして、伝送を中止した映像のために確保していた帯域を開放するようにＨＣに通知する。この処理の詳細は割愛するが、ＩＥＥＥ８０２．１１ｅの草稿で規定されているＤＥＬＴＥＳと呼ばれる処理に準拠するものとする（Ｓ１８５）。ＤＥＬＴＳ処理が完了すると、ＨＣは指定されたストリームの送信局に対する送信権付与を終了し、場合によっては解放されたストリームで使用していた分の帯域は、別のストリームの伝送のために割り当てなおす。
【０１３１】
本来はユーザは映像伝送の中止をコントローラＡ１２００で指示する前に、映像を送信している機器ａ２３００に対して、コントローラａ１３００を操作することによって、電源ＯＦＦ等の使用終了を示す操作を行うべきであるが、もし、それが行われずにコントローラＡ１２００にて、映像送信の終了が指示された場合には、映像送信側の通信局Ｂ２１００が自動的に機器ａ２３００の電源ＯＦＦ等の操作を行っても良い。これを実現する方法としては、通信局Ｂ２１００が通信局Ａ１１００より映像伝送終了コマンドの無線信号を受信した際に、通信局制御部２１０９が機器ａ２３００に対する電源ＯＦＦ信号をコントロール信号出力部２１１３に出力させる（Ｓ１８６）等の方法が考えられる。
【０１３２】
この電源ＯＦＦ信号は、図３における（４）映像送信開始処理の説明部分で述べたように、あらかじめリモート通信局において記録しておくことが考えられる。この電源ＯＦＦ信号は機器ａ２３００のコントロール信号入力部２３０４で受信され、機器制御部２３０３で理解されて、機器制御部２３０３は機器ａ２３００の電源をＯＦＦにする等の制御を行う。
【０１３３】
さらに、通信局制御部２１０９は、今まで映像を送信していた機器を他の通信局が使用できるようにするために、プラグ情報を更新してその機器を他の端末が使用できる状態にする（Ｓ１８８）。
【０１３４】
この時点で、もし、他のどの通信局に対しても映像を伝送していない状態となった場合には（Ｓ１８９）、通信局Ｂ２１００は電力消費を抑えるために、通信局制御部１１０４の制御により、不要なブロックの動作を停止させてスタンバイ状態に移行しても良い。ただし、先述のとおり、完全に電源が切断された状態に移行すると、他の機器からの無線信号に応答できなくなるので、完全に電源が切断された状態に移行することは望ましくない。
【０１３５】
（１アクションでの切り替え）
次に、１アクション（一つのボタンを一回操作すること）で複数のリモート通信局に接続されている複数の機器を切り替える場合の処理について説明する。
【０１３６】
図１２にシステムの構成例を示す。各通信局および接続されている機器は、図１で説明されているものから抜き出したものである。通信局Ａ１０１と通信局Ｂ１０２および通信局Ｃ１０３がネットワークに接続されている。通信局Ａ１０１には、プラグ１０１ａ・１０１ｂを介して表示装置ｚ１０５が接続されている。また、通信局Ａ１０１は、コントローラ１０４で操作される。通信局Ｂ１０２には、プラグ１０６ａ、１０６ｂ、１０７ａ、１０７ｂ、１０８ａ、１０８ｂを通して、機器ａ１０６、機器ｂ１０７、機器ｃ１０８が接続されている。また同様に、通信局Ｃ１０３には、プラグ１０９ａ、１０９ｂ、１１０ａ、１１０ｂ、１１１ａ、１１１ｂを通して、機器ｄ１０９、機器ｅ１１０、機器ｆ１１１が接続されている。
【０１３７】
通信局Ａ１０１は、ユーザが操作できる側にあるので、ローカル通信局、通信局Ｂ１０２および通信局Ｃ１０３は、ユーザが直接操作できず、ローカル通信局を介して操作することになるのでリモート通信局と呼ぶ。
【０１３８】
表示機器には、リモート通信局で選択されている機器からの情報が表示される。
【０１３９】
本実施の形態では、ローカル通信局は、リモート通信局の一つとしか通信できないとし、各リモート通信局に接続されている機器は、ローカル通信局からの切替コマンドを受信したときに固定された順序で使用するプラグを切り替えていく。
【０１４０】
また、プラグを切り替えた後に、ローカル通信局とリモート通信局で通信していたデータ（ビットレートなど）などを更新する必要があるならば、それらの情報を更新する。
【０１４１】
ローカル通信局からリモート通信局の使用するプラグを切り替えるために、切替コマンドを使用する。切替コマンドは、ユーザが操作するコントローラから送信され、ローカル通信局を経由してリモート通信局に送信され、リモート通信局でプラグを切り替えた後、切替コマンドレスポンスを送信する。
【０１４２】
コントローラ１０４では、切替コマンド（切替要求）を送信するだけでなく、選択されたコンテンツ提供局や機器（通信局Ｂ１０２あるいは機器ａ１０６、機器ｂ１０７、機器ｃ１０８など）をコントロールできるようにしてもよい。操作情報は、あらかじめコントローラに設定されていてもよいし、各機器からダウンロードしても良いし、コンテンツ提供局およびコンテンツ要求局で、操作信号を認識し、それぞれの機器に認識できるように変換されるような形でも良い。コントローラでの各機器のコントロール方法は、本発明を規定するものではない。
【０１４３】
ローカル通信局は、切替コマンドを送信するときにリモート通信局の機器の状態やそれらの情報（プラグＩＤなど）を知ることなく送信できる。切替が可能かどうかの判断は、すべてリモート通信局で判断される。
【０１４４】
図１３は、通信局のブロック図である図１もしくは図２から本実施の形態を例示しやすいように必要な機能をとりだし、分割し、まとめたものである。ローカル通信局およびリモート通信局も同様の構成で利用できる。
【０１４５】
通信部２０１は、通信局やコントローラとの通信に使用される処理部である。本実施の形態では、この通信部２０１を介してコントローラや各通信局と通信を行う。図１では、無線部１１０６、コントロール信号入力部１１０２、図２では、無線部２１０２、コントロール信号出力部２１１６などに相当する。
【０１４６】
送信データ作成部２０２は、各データやコマンドを通信部２０１で送信できる形にして通信部２０１に通知する。図１では、無線信号生成部１１０３、通信局制御部１１０４、図２では、無線信号生成部２１０８、通信局制御部２１０９などに相当する。
【０１４７】
受信データ解析部２０３は、通信部２０１もしくはプラグ部２０４から通知されたデータの種類を判別し、データの種類によって、そのデータを各処理部に通知したり、各処理部に処理を指定したりする。図１では、無線信号解析部１１０７や通信局制御部１１０４、図２では、無線信号解析部２１０２、通信局制御部２１０９などに相当する。
【０１４８】
プラグ部２０４は、機器を接続する接続口である。図１では、映像信号出力部１１０８、図２では、映像信号入力部２１１０、映像信号入力部２１１２、映像信号入力部２１１４などに相当する。
【０１４９】
機器設定保存部２０５は、図１７から図２２に示す機器設定管理テーブルや選択順序管理テーブルなど機器の設定を保存する部分である。図１では、自局情報記憶部１１０１や他局情報記憶部１１０９、図２では、自局情報記憶部２１０４、他局情報記憶部２１０５などに相当する。
【０１５０】
切替コマンド処理部２０６は、ローカル通信局では、切替コマンドレスポンス"すべてのプラグ切替完了"が受信された場合に、受信データ解析部２０３から命令されて、機器設定保存部２０５内の各種テーブルを参照し、通信するリモート通信局を決定する。リモート通信局では、切替コマンドが受信された場合に、受信データ解析部２０３から通知されて、機器設定保存部２０５内の各種テーブルを参照し、選択するプラグを決定する。図１では、通信局制御部１１０４、図２では、通信局制御部２１０９等に相当する。
【０１５１】
プラグ選択部２０７は、切替コマンド処理部２０６で決定されたプラグに切り替える。図１では、通信局制御部１１０４、図２では、通信局制御部２１０９等に相当する。
【０１５２】
各種コマンド処理部２０８は、切替コマンド以外のコマンドの処理を行う処理部である。図１では、通信制御部１１０４、図２では、通信局制御部２１０９等に相当する。
【０１５３】
タイマー部２０９は、タイムアウトなどを判定するのに使用する。リモート局では不要な処理部である。
【０１５４】
図１４は、ローカル通信局のフローチャートを示している。
【０１５５】
図１５は、リモート通信局のフローチャートを示している。
【０１５６】
図１６では、各通信局の間に流れるデータのやり取りの順序を示している。
【０１５７】
図１７から図２２では、ローカル通信局とリモート通信局の各管理テーブルを示している。それぞれのテーブルは、通信局Ａ１０１の機器設定管理テーブル６０１（図１７）、選択順序管理テーブル６０２（図１８）、通信局Ｂ１０２の機器設定管理テーブル６０３（図１９）、選択順序管理テーブル６０４（図２０）、通信局Ｃ１０３の機器設定管理テーブル６０５（図２１）、選択順序管理テーブル６０６（図２２）の一例を示している。これらのテーブルは、機器設定保存部２０５に保存される。
【０１５８】
機器設定管理テーブルは、通信局が現在使用しているプラグ（プラグＩＤ）とそのプラグと通信を行っている通信局（通信局アドレス）を管理するためのものである。選択順序管理テーブルは、通信局アドレスもしくはプラグＩＤを選択するための順序（選択順序、選択ルール）を管理するためのテーブルである。このテーブルは、実施の形態では固定でかつ選択順序は昇順となっており、１から３までのプラグを選択すると終了となる。
【０１５９】
図２３および図２４は、コントローラ７１１、７１２の概観図の一例を示している。図１では、コントローラＡ１２００やコントローラａ１３００、図２では、コントローラＢ２２００等に相当する。
【０１６０】
切替ボタン７０１で、リモート通信局の入力プラグを選択し、リモート通信局に接続されている機器の選択を行う。
【０１６１】
電源ボタン７０２は、コントローラで制御できる通信局もしくは機器の電源を制御するためのものである。
【０１６２】
各種選択ボタン７０３は、表示装置やローカル通信局の機能を設定するためのメニューを呼び出したり、メニュー内で選択および決定に必要なものである。
【０１６３】
調整ボタン７０４は、音量などを調整するためのボタンである。
【０１６４】
チャンネルボタン７０５は、表示機器に表示したいテレビチャンネルを直接選択できるボタンである。
【０１６５】
昇順切替ボタン７０６は、順序管理テーブルでの順番を昇順に選択するためのボタンである。
【０１６６】
降順切替ボタン７０７は、順序管理テーブルでの順番を降順に選択するためのボタンである。
【０１６７】
各ボタンは、図１では、ユーザ入力部１２０３などに相当する。
【０１６８】
図１６での各機器間のパケットの流れを説明する。通信局および機器の構成は、図１２のシステムと同様である。
【０１６９】
以後、機器設定管理テーブルの内容は、（通信局名〔選択プラグＩＤ、利用通信局アドレス〕）と簡略表記する。例えば、通信局Ｂ１０２で選択プラグＩＤがｃ、利用通信局がＡの場合は、（Ｂ〔ｃ，Ａ〕）と表記する。また、通信する局がなくクリアされているときは、特別に（Ｂ〔−，−〕）と表記する。
【０１７０】
通信局Ａ１０１に接続されている表示機器ｚには、通信局Ｃ１０３に接続されている機器ｆからの情報が表示される（Ｓ５０１）。このとき、通信局Ａ１０１の機器設定管理テーブルは、（Ａ〔ｚ，Ｃ〕）、通信局Ｃ１０３の機器設定管理テーブルは、（Ｃ〔ｆ，Ａ〕）となっている。コントローラで切替ボタンが押されると（Ｓ５０２）、通信局Ａ１０１が通信局Ｃ１０３に対して切替コマンドを送信する。切替コマンドを受信した通信局Ｃ１０３は、機器設定管理テーブルを参照する。機器設定管理テーブル（Ｃ〔ｆ，Ａ〕）は、選択プラグＩＤがｆ、利用通信局アドレスがＡとなっているので選択プラグＩＤ、ｆの次の順序のプラグＩＤを選択順序管理テーブル６０６で確認する。
【０１７１】
選択管理順序テーブルでは、プラグＩＤ，ｆが最後だということが分かり、これ以上通信局Ｃ１０３のプラグを切り替えることはできないので、機器ｆに対して通信停止コマンドを送信し、通信局Ａ１０１に対して、レスポンス“全てのプラグの切替完了”を送信する。そして、選択機器設定管理テーブルをクリアし（Ｃ〔−，−〕）、通信局Ａ１０１との通信を切る（Ｓ５０３）。
【０１７２】
通信局Ａ１０１は、レスポンス"全てのプラグの切替完了"を受信したら機器設定管理テーブル（Ａ〔ｚ，Ｃ〕）を更新する。利用通信局アドレスは、通信局Ｃ１０３になっているので、選択順序管理テーブル６０２を見ると、通信局Ｃ１０３の次は無いので、選択順序管理テーブル６０２の最初の通信局Ｂ１０２のアドレスが選択され、機器設定管理テーブルが更新（Ａ〔ｚ，Ｂ〕）される。そして、通信局Ａ１０１は、再度、利用通信局アドレスに書かれている通信局Ｂに対して、切替コマンドを送信する（Ｓ５０４）。
【０１７３】
切替コマンドを受信した通信局Ｂ１０２は、機器設定管理テーブルを参照する。機器設定管理テーブルは、クリアされている状態（Ｂ〔−，−〕）になっているので選択順序管理テーブルの最初のプラグＩＤ，ａを選択プラグＩＤとし、機器設定管理テーブルの選択プラグの欄を書き換える。また、利用通信局アドレスは、切替コマンドの送信元の通信局Ａ１０１のアドレスをいれる。（Ｂ〔ａ，Ａ〕）プラグＩＤを選択すると、そのプラグに接続されている機器に対して、通信開始のコマンドを送付し、通信局Ａ１０１には、レスポンス“切替完了”を送信する（Ｓ５０５）。
【０１７４】
再度、コントローラで切替ボタンが押されたとき（Ｓ５０６）は、切替コマンドは、ローカル通信局Ａ１０１が、機器設定管理テーブル（Ａ〔ｚ，Ｂ〕）の利用通信局アドレスの欄を参照して、リモート通信局Ｂ１０２に対して送信する。切替コマンドを受信したリモート通信局Ｂ１０２は、機器設定管理テーブルを参照する。機器設定管理テーブル（Ｂ〔ａ，Ａ〕）は、選択プラグＩＤがａ、利用通信局アドレスがＡとなっているので、プラグＩＤ，ａの機器に対して通信停止コマンドを送信する。さらに、プラグＩＤ，ａの次の順序のプラグを選択順序管理テーブル６０４で確認する。次の順序のプラグＩＤがｂであることが分かるので、機器設定管理テーブルの選択プラグの欄を書き換え、機器ａから機器ｂに選択プラグを切り替える（Ｂ〔ｂ，Ａ〕）（Ｓ５０７）。プラグＩＤを選択すると、そのプラグＩＤに接続されている機器ｂに対して、通信開始のコマンドを送信し、ローカル通信局Ａ１０１には、レスポンス“切替完了”を送信する（Ｓ５０８）。
【０１７５】
以上のようなシーケンスで、通信局および通信局に接続されている機器をユーザに感じさせること無く、一つのアクションでリモート局に接続されている機器を切り替えることを実現する。
【０１７６】
図１４でローカル通信局の処理フローを説明する。
【０１７７】
ローカル通信局では、立ちあがった後に各通信局から通信局情報や機器情報を収集する（Ｓ２０１）（全体動作の実施の形態参照）。そのあと、機器設定保存部２０５の機器設定管理テーブルを設定する（Ｓ２０２）。通信部２０１からのコマンド入力を待ち（Ｓ２０３）、入力されたコマンドは、受信データ解析部２０３に通知される。受信データ解析部２０３では、コマンドの内容を判断し、受信したデータが切替コマンドであった場合には、機器設定保存部２０５の機器設定管理テーブルを参照し、送信データ作成部２０２にて送信できる形にして通信部２０１に通知し、通信部２０１から利用しているリモート通信局に対して切替コマンドを送信する（Ｓ２０６）。また、タイマー部２０９にタイムアウトの時間になれば通知するように通知する。送信した後、各処理部はレスポンス待ち状態になる（Ｓ２０７）。通信部２０１にレスポンスが入力されると受信データ解析部２０３に通知される。受信データ解析部２０３で、レスポンスの内容を判断する。レスポンスが"すべてのプラグの切替完了"ならば、（Ｓ２０９）切替コマンド処理部２０６に通知する。切替コマンド処理部２０６では、機器設定保存部２０５の選択順序管理テーブルを参照し、次の利用通信局を決定し、機器設定管理テーブルを更新する（Ｓ２１１）。そのあと、再び、送信データ作成部２０２で切替コマンドを作成し、通信部２０１で新たに設定された利用通信局に対して切替コマンドを送信しタイマー部２０９に通知する。受信したレスポンスが"切替完了"の場合で、いままで使用していた機器と異なる通信設定（ビットレートなど）で動作しなければならないなら、通信設定を変更する（Ｓ２１２）。そして、コマンド入力待ちに戻る（Ｓ２０３）。
【０１７８】
また、切替コマンド以外のコマンドが入力された場合は、各種コマンド処理部２０８にてそのコマンドに対応する処理を行う（Ｓ２０５）。
【０１７９】
レスポンスがエラーの場合は、リモート局で機器の選択がうまくいかなかったことを意味するので、タイムアウトと同様の処理を行う。
【０１８０】
タイマー部２０９からの通知でレスポンスがタイムアウトになった場合（Ｓ２０８）は、切替コマンドを送信した通信局がなんらかの原因で通信ができなくなったと考えられるので、その通信局を飛ばして、次の順序の通信局を選択する。その場合は、切替コマンド処理部２０６に通知する。切替コマンド処理部２０６では、機器設定保存部２０５の選択順序管理テーブルを参照し、次の利用通信局を決定し、機器設定管理テーブルを更新する（Ｓ２１１）。そのあと、再び、送信データ作成部２０２で切替コマンドを作成し、通信部２０１で新たに設定された利用通信局に対して切替コマンドを送信する（Ｓ２０６）。
【０１８１】
また、レスポンスがエラーの場合やタイムアウトの場合に、再度同じ通信局に切替コマンドを送信しても良い。
【０１８２】
図１５でリモート局の処理フローを説明する。
【０１８３】
立ちあがったらローカル通信局からのコマンドの受信を待つ（Ｓ２２１）。
【０１８４】
通信部２０１でコマンドが入力されたら、受信データ解析部２０３に通知し、コマンドの種類を判断する。コマンドが切替コマンド以外であれば、各種コマンド処理部２０８に通知し処理を行い、入力待ち状態に戻る（Ｓ２２３）。コマンドが切替コマンドであれば、切替コマンド処理部２０６に通知する。切替コマンド処理部２０６では、機器設定保存部２０５に保存されている機器設定管理テーブルと順序管理テーブルを参照する（Ｓ２２４）。その結果、すべてのプラグの切替が終了していれば（Ｓ２２５）、機器設定管理テーブルをクリアし（Ｓ２２９）、送信データ作成部２０２に通知し、レスポンス"すべてのプラグ切替完了"を作成させ、通信部２０１からローカル通信局に送信させる（Ｓ２３０）。その後、ローカル通信局との通信を切り、終了する（Ｓ２３１）。切り替えるプラグがある場合（Ｓ２２５でＮＯ）、そのプラグの選択順序をスキップするかどうかを判定する（Ｓ２３２）。プラグをスキップする場合、Ｓ２２４に戻って次のプラグを選択する。プラグをスキップする必要が無いと判定した場合、機器設定管理テーブルを更新し（Ｓ２２６）、プラグ選択部２０７に選択するプラグＩＤを通知する。
【０１８５】
このとき、プラグ選択部２０７では、プラグ部２０４に、今まで使用していたプラグを停止すると共に、通知されたプラグＩＤのプラグを稼動させるように指定する。
【０１８６】
また、プラグ部２０４では、停止するように指定されたプラグに対応する機器に対して、映像送信を停止させる（すなわち、コンテンツを不使用の状態とする）ためのコントロール信号を送信する。映像送信を停止させるためのコントロール信号としては、電源をＯＦＦにするための信号や、機器をスタンバイ状態に移行させる信号などが考えられる。また、機器の起動に時間がかかる等の理由で電源ＯＦＦ状態にはしたくない場合は、映像の再生を停止するだけの制御信号を送信することが考えられる。これにより、ユーザが映像送信停止を行わずに機器切替を行った場合に、誰も映像を受信していないにもかかわらず、機器の電源がＯＮのままになったり、映像を送信し続けたりするという事態を回避することが可能となる。
【０１８７】
さらに、稼動させるように指示されたプラグに対応する機器に対して、映像送信を開始させる（すなわち、コンテンツを使用可能な状態とする）ためのコントロール信号を送信する。これにより、ユーザが機器切替操作を行った後で、明示的に映像送信開始のための操作を行わなくても、自動的に映像が送信されることになり、ユーザはより簡便な操作で映像を閲覧することが可能となる。映像送信を開始させるためのコントロール信号としては、電源をＯＮにするための信号が考えられる。また、電源をＯＮするだけでは映像送信が開始されない機器（例えばＤＶＤ再生機など）については、電源をＯＮにする信号を送信した後で、映像の再生を開始させるための信号も送信することが考えられる。
【０１８８】
これらの映像送信開始や映像送信停止のためのコントロール信号は、図３における（４）映像送信開始処理の説明部分で述べたのと同様な方法で、あらかじめリモート通信局において記録しておくことが考えられる。
【０１８９】
また、ユーザによって既にコントロール信号が機器に対して送信されていたような場合を考慮して、機器からの映像送信が行われているかどうかを確認した上で、映像送信開始や映像送信停止のためのコントロール信号を送信することも考えられる。電源のＯＮ／ＯＦＦについては、同じコントロール信号でトグル動作（ＯＮの時に信号を受信したらＯＦＦにする、ＯＦＦの時に信号を受信したらＯＮにする）となっている場合があるので、この方法は特に有効である。
【０１９０】
プラグの選択順序をスキップする条件としては、次の（１）〜（３）等が考えられる。なお、これらの条件の判定に必要な情報はプラグ情報として保存されているものとする。
（１）リモート通信局と機器の間で情報伝達をする準備が完了していない。（物理的に接続されていない、電波が届かない、プロトコル上の接続手順が完了していない等）
（２）ローカル通信局とリモート通信局の間での伝送経路において、選択されたプラグに接続されている機器から出力されるデータを伝送するための帯域が足りない。（ネットワーク経路を複数のデータの伝送（送信元としてはローカル通信局、リモート通信局、その他の通信局が考えられる。）のために共用する場合に、別のデータの送信のためにネットワーク経路が既に使用されているため、伝送帯域が足りない場合等）
（３）プラグ情報にて、そのプラグが使用中であることが示されている。
【０１９１】
また、上記のスキップする条件に合致した場合は、プラグの選択をスキップせずに、その旨をユーザに通知して、ユーザの対応を待つという構成にしても良い。例えば、その機器が物理的に接続されていない場合には、ブルーバックの映像を伝送したり、エラーメッセージ表示することが考えられる。
【０１９２】
さらに、送信データ作成部２０２に通知し、レスポンス"切替完了"を作成させ、通信部２０１からローカル通信局に送信させる（Ｓ２２７）。また、いままで使用していた機器と異なる通信設定（ビットレートなど）で動作しなければならないなら、通信設定を変更する（Ｓ２２８）。その後、各処理部は、入力待ち状態に戻る（Ｓ２２１）。
【０１９３】
（順序管理テーブルの選び方）
上記実施の形態では、切替コマンドが送信されてくると、リモート受信局は、選択順序管理テーブルでの次の順序のプラグＩＤを選択するようにするものであって、昇順の選択方法を例示した。順序管理テーブルの選ぶ順番は、必ずしも昇順である必要は無く、選択順序管理テーブルを降順に選択していっても良い。この場合、図２５の選択順序管理テーブル８０１で例示すると、機器設定管理テーブルがクリアされている場合は、順序管理テーブルの最後のプラグＩＤ８０１ｃから選択していく。
【０１９４】
切替コマンドを受信するたびに、８０１ｂ、８０１ａと選択していき、すべてのプラグＩＤを選択し終わった後に、切替コマンドを受信したらプラグを選択しない状態にして、機器設定管理テーブルをクリアし、レスポンス“すべてのプラグ切替終了”をローカル通信局に送信すれば、上記実施の形態と同様の動作ができる。
【０１９５】
また、昇順および降順ではなく、ランダムに選んでいっても良い。この場合は、図２６の選択順序管理テーブル８０３で例示すると、順序管理テーブルに、選択ビット８０３ａ、８０３ｂ、８０３ｃに対する選択ビットテーブルを追加して、プラグＩＤが選択されたときに選択ビットを立てる（８０３ｂ）。切替コマンドを受信したときに、すべての選択ビットが立てられていたら、レスポンス“すべてのプラグ切替終了”をローカル通信局に送信し、選択ビットをクリアすることによって、上記実施の形態と同様の動作ができる。
【０１９６】
上記は、プラグＩＤに対して説明を行ったが、利用通信局アドレスの選択も同様である。
【０１９７】
（管理テーブルの設定方法）
選択順序管理テーブルは、固定であるとしたが、必ずしも固定である必要は無い。ユーザが選択順序を決めても良いし、ランダムで決められても良い（図２７）（８０２）。ただし、あるプラグについて少なくとも一回は含んでいるものでなければならない。
【０１９８】
また、機器ごとに割り当てられる流動的に変化しない値を基にして、選択順序管理テーブルを作成すれば、一対の機器同士の選択順序を一定にできる。
【０１９９】
例えば、コンテンツ選択要求局が切替コマンドを送信する際に参照する選択順序管理テーブルを、図３における（３）の機器情報収集処理の時点であらかじめ取得しておいた、各通信局のＭＡＣアドレスを元に作成することが考えられる。
【０２００】
ＭＡＣアドレスは、１つの機器ごとに世界中で唯一の番号が付与され、値が変化することが無い。ＭＡＣアドレスは、１２桁の１６進数で表される値である。例えば、通信局ＡのＭＡＣアドレスが"CBA987654321"（１６進数）、通信局ＢのＭＡＣアドレスが"DCBA98765432"（１６進数）であったとすると、ＭＡＣアドレスの値が小さい通信局が先に選択されるような順序として、選択順序管理テーブルを常に作成すれば、常に通信局Ａの方が通信局Ｂより先に選択されることになる。
【０２０１】
これにより、選択順序管理テーブルに含まれる通信局が変化しない限りは、選択順序は常に一定となる。ＭＡＣアドレスは通信局の電源切断などにより変化しないので、この効果は永久的に継続する。
【０２０２】
また、新たな通信局をネットワークに追加した場合や、通信局をネットワークから削除した場合には、それらの通信局に関わる順序は変化するが、他の通信局についての相対的な選択順序は変化しないので、選択順序の変化は最小限で済む。
【０２０３】
コンテンツ提供局が切替コマンドを受信して、プラグを選択する際に参照する選択順序管理テーブルを作成する際にも同様のことが可能である。
【０２０４】
例えば、コンテンツ提供局と機器がIEEE1394で接続されている場合、IEEE1394で規定されているEUI-64（Extended Unique Identifire, 64 bits）を元に選択順序管理テーブルを作成する。EUI-64は１つのIEEE1394機器ごとに世界中で唯一の番号が付与され、値が変化することが無いので、先のＭＡＣアドレスと同様に扱うことが可能である。この場合は、コンテンツ提供局は図３における（１）初期設定処理の時点等であらかじめ各機器からEUI-64を収集しておくことが考えられる。なお、流動的に変化せず、１つの機器に対して唯一割り当てられるような値であれば、別の値によっても上記のことは実現可能である。
【０２０５】
機器設定管理テーブルは、１つの通信局もしくはプラグを管理するとしたが、複数の通信局およびプラグを管理しても良い。例えば、プラグａは通信局Ａに、プラグｂは通信局Ｃ１０３に使用されているような場合を表せるようなテーブル構成にしても良い（図２８）（８０４）。
【０２０６】
また、同じプラグに接続されている機器を異なる通信局が使用できるような構成にしても良い（図２９）（８０５）。
【０２０７】
一旦通信局の電源をＯＦＦするなどした後で、再び電源をＯＮにすると電源ＯＦＦする前と同じコンテンツとの接続を復帰させるように構成しても良い。
【０２０８】
図３における（４）映像送信開始処理においては、映像受信側通信局において、通信局アドレスとプラグＩＤの両方を管理する方法について述べているが、同様の処理を本実施例に適用する場合は、ローカル通信局における機器設定管理テーブルと、リモート通信局における機器設定管理テーブルを電源ＯＦＦにした後も保存しておき、以下のような処理を行う。
【０２０９】
コンテンツとの接続を復帰させたい場合は、ローカル通信局は現在自局の機器設定管理テーブルで指定されている通信局宛に「接続復帰コマンド」を送信する。通常、機器切替コマンドを受信したリモート通信局は、現在機器設定管理テーブルで指定されている機器の次の順番として選択順序管理テーブルで規定されている機器を選択してコンテンツの送信を開始するのに対して、接続復帰コマンドを受信した場合には、現在機器設定管理テーブルで指定されている機器そのものを選択してコンテンツの送信を開始するようにする。これにより、ローカル通信局は自局が最後に受信していたコンテンツとの接続を復帰し、同じコンテンツを受信することが可能となる。
【０２１０】
また、保存されている機器設定管理テーブルのあるエントリで指定されている通信局や機器が、明示的に離脱処理を行った上でネットワークから離脱した、または、最後に通信していた時からある一定の期間が経過した等の場合には、そのエントリを消去することも考えられる。
【０２１１】
本実施例においては、図１２におけるローカル通信局１０１に対して表示機器ｚ１０５が１つだけ接続される例について述べたが、複数の表示機器が接続されていても良い。
【０２１２】
この場合、ローカル通信局における機器設定管理テーブル（図１７）においては、選択プラグＩＤと利用通信局アドレスを通常通り管理すれば良い。リモート通信局における機器設定管理テーブル（図１９）においては、現在使用されているプラグ（選択プラグＩＤ）とそのプラグを使用している通信局（利用通信局アドレス）に加えて、そのプラグを使用している表示機器のプラグＩＤが必要となる。
【０２１３】
例として、通信局Ａに表示機器ｚ１と表示機器ｚ２が接続されており、表示機器ｚ１（プラグＩＤ＝ｚ１）は通信局Ｂに接続されている機器a（プラグＩＤ＝ａ）と、表示機器ｚ２（プラグＩＤ＝ｚ２）は通信局Ｃに接続されている機器ｂ（プラグＩＤ＝ｂ）と通信を行っている場合の、通信局Ａにおける機器設定管理テーブルを図３０に、通信局Ｂにおける機器設定管理テーブルを図３１に、通信局Ｃにおける機器設定管理テーブルを図３２に示す。
【０２１４】
さらに、ある通信局Ａに接続されている表示機器ｚ１が、別の通信局Ｂに接続されている機器ａ（プラグＩＤ＝ａ）と通信を行っており、通信局Ａに接続されている表示機器ｚ２が、同じく通信局Ｂに接続されている機器ｂ（プラグＩＤ＝ｂ）と通信を行っているような場合、通信局Ａにおける機器設定管理テーブルは図３３、通信局Ｂにおける機器設定管理テーブルは図３４のようになっている。
【０２１５】
この場合、通信局Ａから通信局Ｂに切替コマンドが送信された際に、通信局Ｂでは切替コマンドの送信元の通信局アドレスだけでは、自局の機器設定管理テーブルから１つのエントリを特定することができない。すなわち、切替対象となるプラグを特定できない。よって、通信局Ａが切替コマンドを送信する際には、切替コマンドがどの表示機器に対応するものであるかという情報を含める必要がある。例えば、切替コマンドの無線信号に新たなフィールドを設けて、通信局Ａにおいて、そのフィールドに切替コマンドの対象となる表示機器のプラグＩＤを含めて送信すれば、通信局Ｂではそのフィールドの値＋送信元通信局アドレスから機器設定管理テーブルから１つのエントリを特定できる。
【０２１６】
通信局Ｂから通信局Ａに切替コマンドレスポンスを返送する際にも、通信局Ａにて、どの表示機器に対する切替コマンドレスポンスであるかを特定するために、切替コマンドレスポンスがどの表示機器に対応するものであるかという情報を含める必要がある。この場合も同様に、切替コマンドレスポンスのパケットに新たなフィールドを設けて、そのフィールドに切替コマンドレスポンスの対象となる表示機器のプラグＩＤを含めて送信すればよい。
【０２１７】
（切替コマンドおよびレスポンス）
上記実施の形態では、ローカル通信局は、リモート通信局の状態を知ることなく切替コマンドを送信していたが、ローカル通信局がリモート通信局の情報（どのプラグＩＤが接続されているのかなど）を取得し、その情報を元に、切替コマンドを作成し、直接機器の切替の制御を行っても良い。
【０２１８】
また、選択された機器の機器ユーザ名や機器の種別、選択された機器から出力されるコンテンツの名称（映画・番組の題名や、ファイル名等）等のユーザが機器自身や出力されるコンテンツを特定するための情報を、リモート通信局が切替レスポンスに含めて送信し、ローカル通信局や表示機器などにおいて、その情報をユーザに提示するように構成しても良い。これにより、ユーザは、現在選択されている機器やコンテンツが何であるかをより理解しやすくなる。
【０２１９】
また、選択順序管理テーブルにおいて、現在選択されている機器の次の順番となっている機器について、機器自身や出力されるコンテンツを特定するための情報を、切替レスポンスに含めて送信し、リモート通信局や表示機器などにおいて、その情報をユーザに提示するように構成しても良い。これにより、ユーザは、次に切替操作を行った場合に、どのような機器やコンテンツが選択されるかを知ることが可能となり、より容易に所望の機器やコンテンツを選択することが可能となる。
【０２２０】
なお、ローカル通信局から選択され得るリモート通信局が複数存在する場合に、第１のリモート通信局において選択順序管理テーブルにおいて最後の順番となっている機器が選択された場合には、第１のリモート通信局が切替レスポンスに含めて情報を送信するべき機器は、別の第２のリモート通信局の選択順序管理テーブルにおいて最初の順番となっている機器である。このような場合は、第１のリモート通信局から第２のリモート通信局に対して、該機器自身や出力されるコンテンツを特定するための情報を問合せる手段を設け、問い合わせにより得られた情報を第１のリモート通信局が切替レスポンスに含めて、ローカル通信局に送信することも考えられる。
【０２２１】
さらに、選択順序管理テーブルにおいて、現在選択されている機器の前の順番となっている機器について、機器自身や出力されるコンテンツを特定するための情報を、切替レスポンスに含めて送信し、ローカル通信局や表示機器などにおいて、その情報をユーザに提示するように構成しても良い。これにより、降順の切替操作が提供されている場合にも、ユーザは次の切替操作を行った場合に、どのような機器やコンテンツが選択されるかを知ることが可能となり、より容易に所望の機器やコンテンツを選択することが可能となる。
【０２２２】
なお、ローカル通信局から選択され得るリモート通信局が複数存在する場合に、第１のリモート通信局において選択順序管理テーブルにおいて最初の順番となっている機器が選択された場合には、第１のリモート通信局が切替レスポンスに含めて情報を送信するべき機器は、別の第２のリモート通信局の選択順序管理テーブルにおいて最後の順番となっている機器である。このような場合は、第１のリモート通信局から第２のリモート通信局に対して、該機器自身や出力されるコンテンツを特定するための情報を問合せる手段を設け、問い合わせにより得られた情報を第１のリモート通信局が切替レスポンスに含めて、リモート通信局に送信することも考えられる。
【０２２３】
リモート通信局に接続されている機器の内で、現在選択可能である機器全てについて、機器自身や出力されるコンテンツを特定するための情報を、切替レスポンスに含めて送信し、ローカル通信局や表示機器などにおいて、その情報をユーザに提示するように構成しても良い。これにより、ユーザは何度切替操作を行えば、所望の機器やコンテンツを選択可能であるかを知ることが可能となり、より容易に所望の機器やコンテンツを選択することが可能となる。
【０２２４】
なお、ローカル通信局から選択され得るリモート通信局が複数存在する場合に、第１のリモート通信局で切替レスポンスを送信する際に、第１のリモート通信局が他の全てのリモート通信局に対して、接続されている機器の内で現在選択可能である機器の情報を問合せる手段を設け、問い合わせにより得られた情報を第１のリモート通信局が切替レスポンスに含めて、ローカル通信局に送信することも考えられる。
【０２２５】
（コントローラの通信先）
本実施の形態においては、コントローラと通信局の間の接続形態と、通信局間の接続形態が異なる場合について述べたが、コントローラと通信局間の接続形態と通信局間の接続形態が同じであっても良い。この場合、通信局は１つの接続形態だけをサポートすれば良いことになり、製造コストが低下する等の効果が見込まれる。
【０２２６】
また、本発明では、コントローラとローカル通信局の間の通信方法に比べて、ローカル通信局とリモート通信局の間の通信方法の方が、より伝送可能距離が長いシステムを想定している。例えば、コントローラとローカル通信局の間は赤外線で通信を行い、ローカル通信局とリモート通信局の間は２．４ＧＨｚ帯や５ＧＨｚ帯の無線による通信を使用する。よって、このような場合に、コントローラとローカル通信局の間とローカル通信局とリモート通信局の間の接続形態を同じにすれば、コントローラとローカル通信局の間も無線で通信することになり、ユーザはローカル通信局から離れた場所からでもローカル通信局を操作できる。
【０２２７】
また、本実施の形態においては、ローカル通信局が自局において表示するコンテンツを切り替える場合についてのみ記述したが、ローカル通信局が自局以外の通信局に送信されるコンテンツを切り替えられるようにしても良い。この場合、ローカル通信局がリモート通信局に対して切替コマンドを送信する際に、コンテンツを表示させたい通信局のアドレスを含めることが考えられる。
【０２２８】
また、コントローラからローカル通信局を介して他の通信局を制御しているが、コントローラからローカル通信局以外の通信局を直接制御できるような構成にしても良い。例えば、コントローラと通信局を全て同じ周波数帯の無線で、同じ通信局プロトコルで接続すれば、コントローラからローカル通信局以外の通信局の直接制御を実現できる。また、コントローラは、通信局や表示機器および機器などと一体化されていても良い。
【０２２９】
（コントローラの構成）
現在一般的な表示機器では、表示する外部接続機器を選択するための、「入力切替」操作が必要である。これは例えば、ＴＶにおける「入力切替」操作であり、ユーザはこれを用いて、ＴＶに接続されている複数の外部機器（ＶＴＲやＤＶＤ等）から表示したい機器を選択できる。
【０２３０】
本実施例における、ローカル通信局がこのような外部接続機器として表示機器に接続されている場合、ユーザは、外部接続機器の選択操作と、ローカル通信局からリモート通信局を経て接続されている機器の選択操作を、別々のコントローラで行うこととなる。
【０２３１】
ところで、本発明における機器切替方法は、表示機器とローカル通信局が一体となっている機器（以下「一体型機器」と呼ぶ）においても使用可能である。この場合、一体型機器用のコントローラによって、外部接続機器の切替操作と、リモート通信局を経て接続されている機器の切替操作の両方を行えるように構成すれば、ユーザは１つのコントローラだけで両方の切替操作を行うことが可能となる。
【０２３２】
さらに、外部接続機器の切替操作と、リモート通信局を経て接続されている機器の切替操作を一体型機器用コントローラの１つのボタン（以下「兼用切替ボタン」と呼ぶ）だけで実行できるようにすることも可能である。
【０２３３】
ユーザが一体型機器用コントローラの兼用切替ボタンを押すと、ボタンが押されたことが一体型機器に伝達される。この時、一体型機器では以下のような処理を行う。
（処理１）現在、一体型機器の外部接続機器としてローカル通信局以外の機器が選択されている場合は、外部接続機器の切替を行う。ここでは従来のＴＶ等と同様に、表示機器の備える入力端子を順番で切り替える。
（処理２）現在、一体型機器の外部接続機器としてローカル通信局が選択されている場合は、これまで述べた通りの処理でローカル通信局からリモート通信局を経て接続されている機器の切替を行う。
【０２３４】
全ての通信局について、１度ずつ”全てのプラグ切替完了”レスポンスを受信したら、ローカル通信局の次の外部接続機器を選択する。
【０２３５】
なお、ローカル通信局から表示機器の切替のためのコントロール信号を出力できるような構成とすることによっても上記と同様のことが実現可能である。
【０２３６】
ユーザがローカル通信局のコントローラの切替ボタンを押すと、ボタンが押されたことがローカル通信局に伝達される。この時、ローカル通信局では以下のような処理を行う。
（処理１）現在、表示機器の外部接続機器としてローカル通信局以外の機器が選択されている場合は、表示機器に対して切替のためのコントロール信号を出力する。
（処理２）現在、表示機器の外部接続機器としてローカル通信局が選択されている場合は、これまで述べた通りの処理でローカル通信局からリモート通信局を経て接続されている機器の切替を行う。
【０２３７】
全ての通信局について、１度ずつ”全てのプラグ切替完了”レスポンスを受信したら、表示機器に対して切替のためのコントロール信号を出力する。
【０２３８】
上記の処理を行うためには、表示機器の外部接続機器として、ローカル通信局が選択されているのか、それ以外が選択されているのかということを、ローカル通信局において判定する必要がある。これは、表示機器に接続されている外部接続機器の台数と、そのうちの何番目の機器として自局が接続されているかという情報を事前にローカル通信局が取得しておき、以下のような方法で判定をする。
【０２３９】
最初は表示機器に接続されている１番目の外部接続機器が選択されているとする。ローカル通信局は表示機器に対して切替のためのコントロール信号を出力した回数と、何番目の機器として自局が接続されているかという情報を比較することで、最初に自局が選択されるタイミングが分かる。その後は、表示機器に接続されている外部接続機器の台数分だけ表示機器に対して切替のためのコントロール信号を出力したら再び自局が選択されることが分かる。
【０２４０】
表示機器に接続されている外部接続機器の台数と、そのうちの何番目の機器として自局が接続されているかという情報をローカル通信局が取得する方法としては、事前にユーザがローカル通信局に対して入力しておいたり、事前にローカル通信局と表示機器の間で何らかの信号をやり取りして取得しておいたりすることが考えられる。
【０２４１】
上記の構成の具体例としては、表示機器が従来のＴＶであり、ローカル通信局において、ＴＶの入力切替のための赤外線リモコン信号を記憶しておき、その信号でＴＶの入力切替制御を行うことが考えられる。
【０２４２】
また、ローカル通信局から表示機器に対して、現在ローカル通信局が外部接続機器として選択されているかどうかを問合せる機能を持たせれば、上記の処理はより容易に実現可能である。この場合、ローカル通信局のコントローラで切替操作が行われた際に、ローカル通信局が表示機器に対して現在自局が外部接続機器として選択されているかどうかを問合せて、その応答に応じて上記の（処理１）または（処理２）を行えば良い。
【０２４３】
なお、ローカル通信局から表示機器に対して、外部機器切替以外のコントロール信号を出力させるようにしても良い。この場合、ユーザはローカル通信局のコントローラの操作だけで、表示機器の種々の制御をすることが可能となる。
【０２４４】
また、上記では、ローカル通信局が表示機器に対して、コントロール信号を出力する構成について述べたが、逆に表示機器がローカル通信局に対して、コントロール信号を出力する構成としても同様のことが実現可能である。
【０２４５】
（通信部２０１の構成）
図１３での通信部２０１は、無線でも有線でもよく、また、通信部２０１のプロトコル方式もどのようなものでも良い。例えば、無線の場合では、物理層として２．４ＧＨｚや５ＧＨｚ、ＵＷＢ（Ultra Wide Band）といった電波を使用しても良いし、赤外線などの光を使用しても良いし、有線の場合では、アナログ接続でもよいし、ＩＥＥＥ１３９４などのようなデジタル接続でも良い。また、ＭＡＣ層のプロトコルとして無線ＬＡＮ（ＩＥＥＥ８０２．１１）のような物でも良いし、さらに、通信部２０１を複数持つような構成にしても良い。また、複数の通信部を持つ場合はそれぞれの通信部が異なる接続方式を用いていても良い。
【０２４６】
上記実施の形態では、一つのボタンで順序管理テーブルを昇順もしくは降順のどちらかで、リモート通信局に接続されているプラグＩＤを選択してきたが、昇順に選択するボタン７０６および降順に選択するボタン７０６を設けて、二つのボタンで機器を選択するような形にしても良い。この場合は、ローカル通信局では、切替コマンド処理部２０６が送信データ作成部２０２で、切替コマンドに昇順であるか降順であるかの判別できる情報をつけて、通信部２０１より送信し、リモート受信局では、通信部２０１で受信したコマンドを受信データ解析部２０３に通知し、受信データ解析部２０３で切替コマンド処理部２０６に昇順か降順かを通知する。切替コマンド処理部２０６では、順序管理テーブルの参照の方法を、上記実施の形態に示されている昇順のアルゴリズムと降順のアルゴリズムの両方を使用すれば良い。その他のフローは同様なので省略する。このようにすると、ボタンが二つあって昇順と降順で便利に切替できる。
【０２４７】
本発明を用いた場合に、ユーザが映像を視聴できる状態になるまでの流れの例を図１および図２を用いて説明する。以下に記述するのはあくまで一例であり、コントローラでの各機器のコントロール方法は、本発明で規定するものではない。
【０２４８】
なお、以下の例では、通信局Ａ１１００を映像受信機、表示機器１４００をＴＶ、通信局Ｂ２１００を映像送信機、機器ａ２３００をＶＴＲ、機器ｂ２４００をＣＳチューナ、機器ｃ２５００をハードディスクレコーダとする。また、コントローラＡ１２００を映像受信機のリモコン、コントローラａ１３００をＶＴＲのリモコンとし、ユーザは、映像受信機のリモコン（コントローラＡ１２００）と、ＶＴＲのリモコン（コントローラａ１３００）を操作しながら、表示機器１４００を視聴しているものとする。また、図示はしないが、ＶＴＲのリモコン（コントローラａ１３００）と同様に、ＣＳチューナのリモコンとハードディスクレコーダのリモコンもユーザの手元に配置されているものとする。
【０２４９】
ユーザは映像受信機（通信局Ａ１１００）と映像送信機（通信局Ｂ２１００）の間で無線通信が可能な状態にするために両者の電源をＯＮにする。その後、ＴＶ（表示機器１４００）の電源をＯＮにする。この操作はＴＶ（表示機器１４００）を直接操作しても良いし、ＴＶ（表示機器１４００）のリモコン（図示しない）により操作しても良い。その後、ユーザは映像受信機のリモコン（コントローラａ１３００）を操作して、映像送信機（通信局Ｂ２１００）に接続されているＶＴＲ（機器ａ２３００）、ＣＳチューナ（機器ｂ２４００）、ハードディスクレコーダ（機器ｃ２５００）の中から映像を視聴したい機器を選択する。この操作とは、例えば映像受信機のリモコン（コントローラａ１３００）における切替ボタンを押すことである。切替処理の詳細は既に述べた通りであるので省略する。
【０２５０】
ここでは、切替はＶＴＲ（機器ａ２３００）、ＣＳチューナ（機器ｂ２４００）、ハードディスクレコーダ（機器ｃ２５００）という順番で行われるものとする。よって、例えば現在選択されているのがＶＴＲ（機器ａ２３００）であり、ハードディスクレコーダ（機器ｃ２５００）を選択したい場合、ユーザは映像受信機のリモコン（コントローラａ１３００）における切替ボタンを２回押せばよいことになる。
【０２５１】
ユーザは所望の機器に切り替えた後は、それぞれの機器のリモコンを用いて機器自体を操作する。例えば、ＶＴＲ（機器ａ２３００）に切り替えた場合は、ユーザはＶＴＲのリモコン（コントローラａ１３００）を手に取り操作を行う。ここでＶＴＲのテープを再生したい場合は、ＶＴＲのリモコン（コントローラａ１３００）にて再生ボタンを押す。リモコンからの赤外線信号が映像受信機（通信局Ａ１１００）にて無線信号に変換され、映像送信機（通信局Ｂ２１００）に伝達されて、ＶＴＲ（機器ａ２３００）が制御される。これにより、ＶＴＲ（機器ａ２３００）からの映像信号が映像送信機（通信局Ｂ２１００）にて、無線信号に変換され、映像受信機（通信局Ａ１１００）に伝達されて、ＴＶ（表示機器１４００）に映像が表示される。
【０２５２】
また、ＣＳチューナ（機器ｂ２４００）を操作する場合も上記と同様に、ユーザは映像受信機のリモコン（コントローラＡ１２００）にてＣＳチューナ（機器ｂ２４００）に切り替えた上で、ＣＳチューナのリモコン（図示しない）を手に取り操作を行う。ここでＣＳチューナの電源をＯＮにしたい場合はＣＳチューナのリモコン（図示しない）の電源ボタンを押し、チャネルを変更したい場合はチャネル変更操作のための１つ以上のボタンを押す。リモコンからの赤外線信号が映像受信機（通信局Ａ１１００）にて無線信号に変換され、映像送信機（通信局Ｂ２１００）に伝達されて、ＣＳチューナ（機器ｂ２４００）が制御される。
【０２５３】
なお、ＣＳチューナ（機器ｂ２４００）におけるチャネルの変更を、ＣＳチューナのリモコン（図示しない）における１つのボタンの操作によって行えるような場合（例えば、あるボタンが押される度にチャネルを降順に１つずつ変更してゆくような場合）は、機器の切り替えとチャネルの変更を映像受信機のリモコン（コントローラＡ１２００）だけで行うようにすることも可能である。
【０２５４】
具体的には、ユーザにより映像受信機のリモコン（コントローラＡ１２００）で切替操作が行われた際に、ＣＳチューナ（機器ｂ２４００）においてまだ選択されたことがないチャネルが存在する場合は、次の機器すなわちハードディスクレコーダ（機器ｃ２５００）への切替を行わず、ＣＳチューナ（機器ｂ２４００）におけるチャネルだけを変更し、ＣＳチューナ（機器ｂ２４００）における全てのチャネルが選択された後で映像受信機のリモコン（コントローラＡ１２００）での切替操作が行われた時にのみハードディスクレコーダ（機器ｃ２５００）への切替を行うようにする。ＢＳチューナや地上波チューナ等、受信チャネルという概念が適用できる別の機器においても、同様のことは実現可能である。
【０２５５】
また、ハードディスクレコーダ（機器ｃ２５００）を操作する場合も上記と同様に、ユーザは映像受信機のリモコン（コントローラＡ１２００）にてハードディスクレコーダ（機器ｃ２５００）に切り替えた上で、ハードディスクレコーダのリモコン（図示しない）を手に取り操作を行う。ここでハードディスクレコーダの電源をＯＮにしたい場合はハードディスクレコーダのリモコン（図示しない）の電源ボタンを押し、閲覧したいファイルを変更したい場合はファイル変更操作のための１つ以上のボタンを押す。リモコンからの赤外線信号が映像受信機（通信局Ａ１１００）にて無線信号に変換され、映像送信機（通信局Ｂ２１００）に伝達されて、ハードディスクレコーダ（機器ｃ２５００）が制御される。
【０２５６】
なお、ハードディスクレコーダ（機器ｃ２５００）におけるファイルの変更を、ハードディスクレコーダのリモコン（図示しない）における１つのボタンの操作によって行えるような場合（例えば、あるボタンが押される度にファイルをファイル名の降順に１つずつ変更してゆくような場合）は、ユーザにより映像受信機のリモコン（コントローラＡ１２００）で切替操作が行われた際に、ハードディスクレコーダ（機器ｃ２５００）においてまだ選択されたことがないファイルが存在する場合は、ＶＴＲ（機器ａ２３００）に切替を行わず、ハードディスクレコーダ（機器ｃ２５００）におけるファイルだけを変更し、ハードディスクレコーダ（機器ｃ２５００）における全てのファイルが選択された後で映像受信機のリモコン（コントローラＡ１２００）での切替操作が行われた時にのみＶＴＲ（機器ａ２３００）への切替を行うようにしても良い。インターネット上のサーバに蓄積されたファイルをダウンロードして視聴するシステムの子局等、複数のファイルから１つを選択して視聴するという概念の適用できる別の機器においても、同様のことは実現可能である。
【０２５７】
なお、上記従来の技術は、遠隔配置されたビデオ機器側と、手元のテレビ受像器側との２局同士で機器の選択を行うものである。遠隔操作対象の機器が複数の局に分散して配置されている場合には、操作者は、まず、希望する機器がどの局に配置されているのかを調べ、局を選択し、それから機器を選択するという手順を踏まなければならない。そのため、所望の機器を容易に選択できないという問題があった。上記実施形態の発明は、上記の問題点を解決するためになされたものでもある。
【０２５８】
なお、上記実施形態の発明は、送信コンテンツを持つ複数の通信局からコンテンツの選択を行うコンテンツ選択方法であって、送信コンテンツの選択を、それを所有する通信局の違いを意識することなく行うように構成してもよい。
【０２５９】
また、上記実施形態の発明は、上記構成において、ある通信局のコンテンツから順に選択を開始し、当該通信局内に未選択のコンテンツがなくなると次の局について順にコンテンツを選択するように構成してもよい。
【０２６０】
また、上記実施形態の発明は、上記構成において、あらかじめ決められた順序（昇順）に従って通信局の選択を行うように構成してもよい。
【０２６１】
また、上記実施形態の発明は、上記構成において、あらかじめ決められた順序の逆方向（降順）で通信局の選択を行うように構成してもよい。
【０２６２】
また、上記実施形態の発明は、上記構成において、選択された通信局が、通信状態が悪かったり、選択された通信局の電源が入っていないなどで応答できなかったりといった理由により正常に通信できない場合、当該通信局のコンテンツの選択を行わずに次順序の局の選択を行うように構成してもよい。
【０２６３】
また、上記実施形態の発明は、上記構成において、あらかじめ決められた順序（昇順）に従ってコンテンツの選択を行うように構成してもよい。
【０２６４】
また、上記実施形態の発明は、上記構成において、あらかじめ決められた順序と逆方向の順序（降順）でコンテンツの選択を行うように構成してもよい。
【０２６５】
また、上記実施形態の発明は、上記構成において、選択されたコンテンツが、通信状態が悪かったり、選択された機器の電源が入っていないなどで応答できなかったりといった理由により正常に受信できない場合、当該コンテンツの選択を行わずに次順序のコンテンツの選択を行うように構成してもよい。
【０２６６】
また、上記実施形態の発明は、制御機器であって、上記コンテンツ選択方法を用いたコンテンツ選択を、制御機器への１つのアクションを用いて行うように構成してもよい。
【０２６７】
また、上記実施形態の発明は、上記構成において、コンテンツを選ぶ順序を昇順および降順それぞれに制御ボタンを対応させ、昇順もしくは降順でコンテンツを選択するように構成してもよい。
【０２６８】
また、上記実施形態の発明は、通信システムであって、上記コンテンツ選択方法によるコンテンツ選択を、当該送信局へ「切替」コマンドを送信することによって行うように構成してもよい。
【０２６９】
また、上記実施形態の発明は、通信局であって、上記構成の「切替」コマンドを受信した際に、上記コンテンツ選択方法によるコンテンツ選択を行うように構成してもよい。
【０２７０】
また、上記実施形態の発明は、通信局であって、上記構成の「切替」コマンドを受信した際に、上記コンテンツ選択方法によるコンテンツ選択を行うように構成してもよい。
【０２７１】
なお、図１３でのプラグ部２０４と１つの機器との間では、映像伝送のための通信経路と、コントロール信号伝送のため通信経路が必要であるが、これらは、同じ１つの通信経路を共用しても良いし、複数の通信経路を別々に使用しても良い。また、１つの通信経路において双方向に情報の送受信が可能であってもよいし、どちらか１方向の情報の送信のみが可能であっても良い。さらに、それらの接続経路は無線接続でも有線接続でも良く、用いられるプロトコル方式も任意である。
【０２７２】
本実施の形態においては、映像伝送をＲＣＡケーブルやＳケーブル、Ｄ端子ケーブル等の有線接続で行い、コントロール信号の伝送を赤外線リモコン信号で行うことを想定して記述しているが、これは別の接続形態でも良い。
【０２７３】
プラグ部と機器をIEEE1394で接続した場合は、映像伝送とコントロール信号伝送を同一の通信経路で行うことが可能であり、映像伝送はIEEE1394におけるIsochronousパケットとして伝送し、コントロール信号の伝送にはＡＶ／Ｃプロトコルを用いることが考えられる。
【０２７４】
その他、通信局同士や通信局と機器の間の接続形態として、例えば、無線の物理層として２．４ＧＨｚや５ＧＨｚ、ＵＷＢ（Ultra Wide Band）といった電波、赤外線などの光を使用することが考えられる。ＭＡＣ層のプロトコルとしては無線ＬＡＮ（ＩＥＥＥ８０２．１１）などを使用することが考えられる。
【０２７５】
また、１つの通信局に複数のプラグ部２０４が設けられていても良い。さらにそれぞれのプラグ部が異なる接続形態を用いていても良い。
【０２７６】
また、上記実施形態の発明は、上記構成において、選択されたコンテンツとの間で、通信状態が悪かったり、選択されたコンテンツ提供機器の電源が入っていないなどで応答できなかったりといった理由により正常に通信できない場合、そのコンテンツの選択を行わずに次順序のコンテンツを選択するように構成してもよい。
【０２７７】
また、ローカル通信局と機器および表示装置が一体になっている構成を取っても良いし、リモート通信局と機器および表示装置が一体になっている構成を取っても良い。また、ローカル通信局とリモート通信局が一体になっていても良い。どのような構成をとっても、同様の方法で、機器の選択ができる。
【０２７８】
上記通信状態が悪い場合とは、送信局からの電波強度が所定の値よりも弱い、受信局で受信したパケットのエラー率が一定値を超えている、他の機器から妨害を受けているなどの場合を指す。
【０２７９】
なお、上記の説明とは異なり通信局用の専用の装置を用意することなく、各通信局を、パーソナルコンピュータおよびそこで動作するソフトウエア（コンピュータアプリケーション）などで代用してもよく、その場合、そのソフトウエアを適宜外部記憶装置に格納し、そのパーソナルコンピュータのＣＰＵ（中央演算処理装置）でＲＡＭ（ランダムアクセスメモリ）などの記憶装置に読み込むようにすればよい。
【０２８０】
また、複数のコンテンツ提供局および複数のコンテンツ要求局を使用して構成されるネットワークにも本願発明は適用可能である。
【０２８１】
上記コンテンツ選択方法は、コンテンツ選択要求局から複数のコンテンツ提供局を選択するコンテンツ選択方法において、前記コンテンツ選択要求局は前記コンテンツ提供局を選択するための選択ルールを記憶しており、前記コンテンツ選択要求局は、操作者からの入力によりコンテンツ選択要求の入力を受け付け、前記選択ルールに従って、前記コンテンツ提供局の一つを選択して、前記選択されたコンテンツ提供局に対してコンテンツ選択要求を送信し、前記コンテンツ選択要求局は、最後に選択したコンテンツ提供局およびコンテンツを特定する情報を保存するとともに、その情報に基づいてコンテンツ提供局およびコンテンツとの接続を再開する方法である。
【０２８２】
上記の構成により、操作者がコンテンツ選択要求局においてコンテンツ選択要求を入力すると、コンテンツ選択要求局において、選択ルールに従って、一つのコンテンツ提供局内のコンテンツが選択されていく。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０２８３】
また、上記実施形態の発明に係るコンテンツ選択要求局は、複数のコンテンツ提供局が有するコンテンツのうちから所望のコンテンツを選択するコンテンツ選択要求局において、上記のコンテンツ選択方法に従ってコンテンツ提供局にコンテンツ選択要求を送信するものである。
【０２８４】
上記の構成により、コンテンツ提供局にコンテンツ選択要求を送信し、コンテンツ提供局が有するコンテンツの内容を一つずつコンテンツ提供局から受信する。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０２８５】
また、上記実施形態の発明に係るコンテンツ提供局は、コンテンツ選択要求局から選択されて、自局が有するコンテンツの内容をコンテンツ選択要求局に送信するコンテンツ提供局において、上記のコンテンツ選択方法に従ってコンテンツ選択要求局からコンテンツ選択要求を受信するものである。
【０２８６】
上記の構成により、コンテンツ選択要求局から選択されて、自局が有する各コンテンツのうちから一つずつコンテンツを選択して該コンテンツの内容をコンテンツ選択要求局に送信する。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０２８７】
また、上記実施形態の発明に係るコンテンツ切り替え指示器は、上記のコンテンツ選択方法に用いられ、操作者からのコンテンツ切り替え指示をコンテンツ選択要求局に送信するものである。
【０２８８】
上記の構成により、操作者は、常に同じ操作を行って、常に同じ指示をコンテンツ選択要求局に送るだけでよく、コンテンツ提供局にまだコンテンツが残っているか、コンテンツ提供局がまだ残っているかは、各局が判断し、残っていなければ次の局やコンテンツに切り替えられる。したがって、操作者は、同じボタンを押す、同じダイヤルを同じ方向に回すなど、いつも同じ操作を行うだけでよく、コンテンツ提供局が変わるごとに一旦局選択のための操作を行ってその後またコンテンツ選択操作に戻るというような手順を踏む必要がない。それゆえ、より容易に、所望のコンテンツを選択することができる。
【０２８９】
なお、上記実施形態の発明のコンテンツ選択方法は、コンテンツ選択要求局から複数のコンテンツ提供局を選択するコンテンツ選択方法において、前記コンテンツ選択要求局は前記コンテンツ提供局の選択ルールを記憶しており、前記コンテンツ選択要求局は、操作者からの入力によりコンテンツ選択要求の入力を受け付け、前記選択ルールに従って、前記コンテンツ提供局の一つを選択して、前記選択されたコンテンツ提供局に対してコンテンツ選択要求を送信する方法であってもよい。
【０２９０】
上記の構成により、操作者がコンテンツ選択要求局においてコンテンツ選択要求を入力すると、コンテンツ選択要求局において、選択ルールに従って、一つのコンテンツ提供局内のコンテンツが選択されていく。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０２９１】
さらに、上記実施形態の発明に係るコンテンツ選択方法は、前記コンテンツ選択要求を受信したコンテンツ提供局は、前記コンテンツ選択要求局に対して、自己の保持するコンテンツを返信する方法であってもよい。
【０２９２】
上記の構成により、さらに、選択ルールに従って選択されたコンテンツ提供局において、コンテンツ選択要求局に対して、自己の保持するコンテンツを返信する。したがって、操作者は、コンテンツ選択要求局においてコンテンツ選択要求を入力するだけで、各コンテンツ提供局のコンテンツを得ることができる。それゆえ、所望のコンテンツをより容易に選択することができる。
【０２９３】
さらに、上記実施形態の発明に係るコンテンツ選択方法は、前記コンテンツ選択要求局における前記コンテンツ提供局の選択ルールは、選択の対象となるコンテンツ提供局の全てが選択された後は、最初に選択されたコンテンツ提供局を再び選択する方法であってもよい。
【０２９４】
上記の構成により、さらに、選択ルールに従い、選択の対象となるコンテンツ提供局の全てが選択された後は、最初に選択されたコンテンツ提供局が再び選択される。したがって、どのコンテンツ提供局が最初に選択された場合でも、必ずすべてのコンテンツ提供局を選択することができる。それゆえ、所望のコンテンツをより容易に選択することができる。
【０２９５】
さらに、上記実施形態の発明に係るコンテンツ選択方法は、前記選択されたコンテンツ提供局は、所定のコンテンツの選択ルールに従って、選択すべきコンテンツが残っていれば、次のコンテンツを選択してそのコンテンツの内容をコンテンツ選択要求局に対して送信し、コンテンツが残っていなければ、その旨をコンテンツ選択要求局に送信する方法であってもよい。
【０２９６】
上記の構成により、さらに、選択ルールに従い、あるコンテンツ提供局でコンテンツが残っていればそれが選択され、残っていなければその旨がコンテンツ選択要求局に通知される。したがって、各コンテンツ提供局内のコンテンツをもれなく調べることができる。それゆえ、所望のコンテンツをより容易に選択することができる。
【０２９７】
さらに、上記実施形態の発明に係るコンテンツ選択方法は、前記コンテンツ選択要求局は、前記選択したコンテンツ提供局との通信状態および応答状態を確認し、所望レベル以上の通信状態が得られない場合は、前記コンテンツ提供局の選択ルールに従って、次に選択されるべきコンテンツ提供局を選択する方法であってもよい。
【０２９８】
上記の構成により、さらに、コンテンツ選択要求局は、自局との通信状態の悪いコンテンツ提供局はとばして次のコンテンツ提供局にコンテンツ選択要求を送信する。したがって、通信状態の良いコンテンツ提供局のコンテンツのみを選択候補として挙げることができる。それゆえ、より迅速にコンテンツを選択することができる。
【０２９９】
さらに、上記実施形態の発明に係るコンテンツ選択方法は、前記コンテンツ提供局は、選択したコンテンツとの通信状態および応答状況を確認し、所望レベル以上の通信状態が得られない場合は、前記コンテンツの選択ルールに従って、次に選択されるべきコンテンツを選択する方法であってもよい。
【０３００】
上記の構成により、さらに、コンテンツ提供局は、自局との通信状態の悪いコンテンツはとばして次のコンテンツを選択する。したがって、通信状態の良いコンテンツのみを選択候補として挙げることができる。それゆえ、より迅速にコンテンツを選択することができる。
【０３０１】
さらに、上記実施形態の発明に係るコンテンツ選択方法は、前記コンテンツ選択要求局は、選択したコンテンツ提供局との通信状態および応答状態を確認し、所望レベル以上の通信状態が得られない場合は、その旨を操作者に提示する方法であってもよい。
【０３０２】
上記の構成により、さらに、コンテンツ選択要求局は、自局との通信状態の悪いコンテンツ提供局については、通信状態が悪い旨を操作者に提示する。したがって、通信状態の悪いコンテンツ提供局の存在を操作者が認識することができる。それゆえ、通信状態の改善など、必要な措置を迅速にとることができる。
【０３０３】
さらに、上記実施形態の発明に係るコンテンツ選択方法は、前記コンテンツ提供局は、選択したコンテンツとの通信状態および応答状況を確認し、所望レベル以上の通信状態が得られない場合は、その旨をコンテンツ選択要求局に送信し、前記コンテンツ選択要求局は、その旨を受信し、選択したコンテンツ提供局とコンテンツとの通信状態が所望レベル以上の通信状態が得られない旨を操作者に提示する方法であってもよい。
【０３０４】
上記の構成により、さらに、コンテンツ提供局は、自局との通信状態の悪いコンテンツについては、通信状態が悪い旨をコンテンツ選択要求局に送信し、コンテンツ選択要求局はそのことを操作者に提示する。したがって、通信状態の悪いコンテンツの存在を操作者が認識することができる。それゆえ、通信状態の改善など、必要な措置を迅速にとることができる。
【０３０５】
さらに、上記実施形態の発明に係るコンテンツ選択方法は、前記の所望レベル以上の通信状態が得られないとは、通信は可能であるが電波強度もしくは応答状況もしくは通信エラー率が所望レベル未満であることであってもよい。
【０３０６】
上記の構成により、さらに、前記の所望レベル以上の通信状態が得られないとは、通信は可能であるが電波強度もしくは応答状況もしくは通信エラー率が所望レベル未満であるということである。したがって、通信は可能だというだけではなく、通信状態が良好か否かも含めてコンテンツ提供局の選択を行うことができる。それゆえ、所望のコンテンツをより容易に選択することができる。
【０３０７】
さらに、上記実施形態の発明に係るコンテンツ選択方法は、前記の所望レベル以上の通信状態が得られないとは、相手局の電源が入っていないもしくは、相手局との距離が離れてしまったために応答がないことであってもよい。
【０３０８】
上記の構成により、さらに、前記の所望レベル以上の通信状態が得られないとは、相手局の電源が入っていないもしくは、相手局との距離が離れてしまったために応答がないということである。したがって、電源の入っているもののみについてコンテンツ提供局の選択を行うことができる。それゆえ、所望のコンテンツをより容易に選択することができる。
【０３０９】
さらに、上記実施形態の発明に係るコンテンツ選択方法は、前記コンテンツ選択要求局は、選択したコンテンツ提供局との間で所望レベル以上の通信状態が得られない場合にその旨を操作者に提示するときに、通信は可能であるが電波強度もしくは応答状況もしくは通信エラー率が所望レベル未満であるのか、それとも、相手局の電源が入っていないもしくは、相手局との距離が離れてしまったために応答がないのか、の区別を付けて操作者に提示する方法であってもよい。
【０３１０】
さらに、上記実施形態の発明に係るコンテンツ選択方法は、前記コンテンツ選択要求局は、選択したコンテンツ提供局とコンテンツとの間で所望レベル以上の通信状態が得られない場合にその旨を操作者に提示するときに、通信は可能であるが電波強度もしくは応答状況もしくは通信エラー率が所望レベル未満であるのか、それとも、相手局の電源が入っていないもしくは、相手局との距離が離れてしまったために応答がないのか、の区別を付けて操作者に提示する方法であってもよい。
【０３１１】
さらに、上記実施形態の発明に係るコンテンツ選択方法は、操作者からの入力に基づいて、コンテンツ切り替え指示をコンテンツ選択要求局に送信し、コンテンツ切り替え指示を受信したコンテンツ選択要求局は、そのコンテンツ切り替え指示をコンテンツ提供局に送信する方法であってもよい。
【０３１２】
上記の構成により、さらに、操作者は、常に同じ操作を行って、常に同じ指示をコンテンツ選択要求局に送るだけでよく、コンテンツ提供局にまだコンテンツが残っているか、コンテンツ提供局がまだ残っているかは、各局が判断し、残っていなければ次の局やコンテンツに切り替えられる。したがって、操作者は、同じボタンを押す、同じダイヤルを同じ方向に回すなど、いつも同じ操作を行うだけでよく、コンテンツ提供局が変わるごとに一旦局選択のための操作を行ってその後またコンテンツ選択操作に戻るというような手順を踏む必要がない。それゆえ、より容易に、所望のコンテンツを選択することができる。
【０３１３】
また、上記実施形態の発明に係るコンテンツ選択要求局は、複数のコンテンツ提供局が有するコンテンツのうちから所望のコンテンツを選択するコンテンツ選択要求局において、上記のコンテンツ選択方法に従ってコンテンツ提供局にコンテンツ選択要求を送信するものであってもよい。
【０３１４】
上記の構成により、コンテンツ提供局にコンテンツ選択要求を送信し、コンテンツ提供局が有するコンテンツの内容を一つずつコンテンツ提供局から受信する。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０３１５】
また、上記実施形態の発明に係るコンテンツ提供局は、コンテンツ選択要求局から選択されて、自局が有するコンテンツの内容をコンテンツ選択要求局に送信するコンテンツ提供局において、上記のコンテンツ選択方法に従ってコンテンツ選択要求局からコンテンツ選択要求を受信するものであってもよい。
【０３１６】
上記の構成により、コンテンツ選択要求局から選択されて、自局が有する各コンテンツのうちから一つずつコンテンツを選択して該コンテンツの内容をコンテンツ選択要求局に送信する。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０３１７】
また、上記実施形態の発明に係るコンテンツ切り替え指示器は、上記のコンテンツ選択方法に用いられ、操作者からのコンテンツ切り替え指示をコンテンツ選択要求局に送信するものであってもよい。
【０３１８】
上記の構成により、操作者は、常に同じ操作を行って、常に同じ指示をコンテンツ選択要求局に送るだけでよく、コンテンツ提供局にまだコンテンツが残っているか、コンテンツ提供局がまだ残っているかは、各局が判断し、残っていなければ次の局やコンテンツに切り替えられる。したがって、操作者は、同じボタンを押す、同じダイヤルを同じ方向に回すなど、いつも同じ操作を行うだけでよく、コンテンツ提供局が変わるごとに一旦局選択のための操作を行ってその後またコンテンツ選択操作に戻るというような手順を踏む必要がない。それゆえ、より容易に、所望のコンテンツを選択することができる。
【０３１９】
なお、上記実施形態の発明のコンテンツ選択方法は、コンテンツ選択要求局から、複数のコンテンツ提供局が有する各コンテンツのうちから所望のコンテンツを選択するコンテンツ選択方法において、上記コンテンツ選択要求局はコンテンツ提供局の選択用順序を記憶しており、上記コンテンツ提供局は自局が有するコンテンツの選択用順序を記憶しており、上記コンテンツ選択要求局は、操作者からの入力によりコンテンツ選択要求の入力を受け付け、局の選択用順序に従ってコンテンツ提供局のうちの一つにコンテンツ選択要求を送信し、上記コンテンツ提供局は、コンテンツの選択要求を受信すると、コンテンツの選択用順序に従って、選択すべき次のコンテンツが残っていれば次のコンテンツを選択してそのコンテンツの内容をコンテンツ選択要求局に送信し、選択すべきコンテンツが残っていなければその旨をコンテンツ選択要求局に送信し、上記コンテンツ選択要求局は、コンテンツ提供局から、選択すべきコンテンツが残っていない旨を受け取ったときには、上記局の選択用順序に従って次のコンテンツ提供局があればそのコンテンツ提供局にコンテンツ選択要求を送信し、なければ最初のコンテンツ提供局にコンテンツ選択要求を送信するように構成することができる。
【０３２０】
上記の構成により、操作者がコンテンツ選択要求局においてコンテンツを切り替える操作を行うたびに、一つのコンテンツ提供局内のコンテンツが順次選択され、コンテンツが残っていなければ次のコンテンツ提供局を選択するというふうに次々を選択が切り替えられていく。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０３２１】
また、上記実施形態の発明のコンテンツ選択方法は、上記の構成に加えて、上記コンテンツ選択要求局は、選択したコンテンツ提供局と自局との通信状態の良否を判断し、悪い場合は、そのコンテンツ提供局との選択を行わずに次のコンテンツ提供局にコンテンツ選択要求を送信するように構成することができる。
【０３２２】
上記の構成により、コンテンツ選択要求局は、自局との通信状態の悪いコンテンツ提供局はとばして次のコンテンツ提供局にコンテンツ選択要求を送信する。したがって、通信状態の良いコンテンツ提供局のコンテンツのみを選択候補として挙げることができる。それゆえ、上記の構成による効果に加えて、より迅速にコンテンツを選択することができる。
【０３２３】
また、上記実施形態の発明のコンテンツ選択方法は、上記の構成に加えて、上記コンテンツ選択要求局は、選択したコンテンツ提供局と自局との通信状態の良否を判断し、悪い場合は、その旨を操作者に提示するように構成することができる。
【０３２４】
上記の構成により、コンテンツ選択要求局は、自局との通信状態の悪いコンテンツ提供局については、通信状態が悪い旨を操作者に提示する。したがって、通信状態の悪いコンテンツ提供局の存在を操作者が認識することができる。それゆえ、上記の構成による効果に加えて、通信状態の改善など、必要な措置を迅速にとることができる。
【０３２５】
また、上記実施形態の発明のコンテンツ選択方法は、上記の構成に加えて、上記コンテンツ提供局は、選択したコンテンツと自局との通信状態の良否を判断し、悪い場合は、そのコンテンツとの選択を行わずに次のコンテンツを選択するように構成することができる。
【０３２６】
上記の構成により、コンテンツ提供局は、自局との通信状態の悪いコンテンツはとばして次のコンテンツを選択する。したがって、通信状態の良いコンテンツのみを選択候補として挙げることができる。それゆえ、上記の構成による効果に加えて、より迅速にコンテンツを選択することができる。
【０３２７】
また、上記実施形態の発明のコンテンツ選択方法は、上記の構成に加えて、上記コンテンツ提供局は、選択したコンテンツと自局との通信状態の良否を判断し、悪い場合は、その旨をコンテンツ選択要求局に送信し、上記コンテンツ選択要求局は、選択したコンテンツ提供局とコンテンツとの通信状態が悪い旨を受信すると、その旨を操作者に提示するように構成することができる。
【０３２８】
上記の構成により、コンテンツ提供局は、自局との通信状態の悪いコンテンツについては、通信状態が悪い旨をコンテンツ選択要求局に送信し、コンテンツ選択要求局はそのことを操作者に提示する。したがって、通信状態の悪いコンテンツの存在を操作者が認識することができる。それゆえ、上記の構成による効果に加えて、通信状態の改善など、必要な措置を迅速にとることができる。
【０３２９】
また、上記実施形態の発明のコンテンツ選択方法は、上記の構成に加えて、操作者からの入力に基づいて、コンテンツ切り替え指示をコンテンツ選択要求局に送信し、コンテンツ切り替え指示を受信したコンテンツ選択要求局は、そのコンテンツ切り替え指示をコンテンツ提供局に送信するように構成することができる。
【０３３０】
上記の構成により、操作者は、常に同じ操作を行って、常に同じ指示をコンテンツ選択要求局に送るだけでよく、コンテンツ提供局にまだコンテンツが残っているか、コンテンツ提供局がまだ残っているかは、各局が判断し、残っていなければ次の局やコンテンツに切り替えられる。したがって、操作者は、同じボタンを押す、同じダイヤルを同じ方向に回すなど、いつも同じ操作を行うだけでよく、コンテンツ提供局が変わるごとに一旦局選択のための操作を行ってその後またコンテンツ選択操作に戻るというような手順を踏む必要がない。それゆえ、上記の構成による効果に加えて、より容易に、所望のコンテンツを選択することができる。
【０３３１】
また、上記実施形態の発明のコンテンツ切り替え指示器は、上記のコンテンツ選択方法に用いられ、操作者からのコンテンツ切り替え指示をコンテンツ選択要求局に送信するように構成することができる。
【０３３２】
上記の構成により、操作者は、常に同じ操作を行って、常に同じ指示をコンテンツ選択要求局に送るだけでよく、コンテンツ提供局にまだコンテンツが残っているか、コンテンツ提供局がまだ残っているかは、各局が判断し、残っていなければ次の局やコンテンツに切り替えられる。したがって、操作者は、同じボタンを押す、同じダイヤルを同じ方向に回すなど、いつも同じ操作を行うだけでよく、コンテンツ提供局が変わるごとに一旦局選択のための操作を行ってその後またコンテンツ選択操作に戻るというような手順を踏む必要がない。それゆえ、上記の構成による効果に加えて、より容易に、所望のコンテンツを選択することができる。
【０３３３】
また、上記実施形態の発明のコンテンツ選択システムは、コンテンツ選択要求局から、複数のコンテンツ提供局が有する各コンテンツのうちから所望のコンテンツを選択するコンテンツ選択システムにおいて、上記コンテンツ選択方法に従ってコンテンツ選択要求局によりコンテンツ提供局のコンテンツが選択されるように構成することができる。
【０３３４】
上記の構成により、コンテンツ選択要求局は、コンテンツ提供局にコンテンツ選択要求を送信する。コンテンツ提供局は、コンテンツ選択要求局からコンテンツ選択要求を受信すると、自局が有する各コンテンツのうちから一つずつコンテンツを選択して該コンテンツの内容をコンテンツ選択要求局に送信する。コンテンツ選択要求局は、コンテンツ提供局が有するコンテンツの内容を一つずつコンテンツ提供局から受信する。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０３３５】
また、上記実施形態の発明のコンテンツ選択要求局は、複数のコンテンツ提供局が有するコンテンツのうちから所望のコンテンツを選択するコンテンツ選択要求局において、上記コンテンツ選択方法に従ってコンテンツ提供局にコンテンツ選択要求を送信するように構成することができる。
【０３３６】
上記の構成により、コンテンツ提供局にコンテンツ選択要求を送信し、コンテンツ提供局が有するコンテンツの内容を一つずつコンテンツ提供局から受信する。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０３３７】
また、上記実施形態の発明のコンテンツ提供局は、コンテンツ選択要求局から選択されて、自局が有するコンテンツの内容をコンテンツ選択要求局に送信するコンテンツ提供局において、上記コンテンツ選択方法に従ってコンテンツ選択要求局からコンテンツ選択要求を受信するように構成することができる。
【０３３８】
上記の構成により、コンテンツ選択要求局から選択されて、自局が有する各コンテンツのうちから一つずつコンテンツを選択して該コンテンツの内容をコンテンツ選択要求局に送信する。したがって、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０３３９】
また、上記実施形態の発明のプログラムは、コンピュータに上記のいずれかを実現させるものである。
【０３４０】
また、上記実施形態の発明のプログラムを記録したコンピュータ読み取り可能な記録媒体は、コンピュータに上記のいずれかを実現させるものである。
【０３４１】
また、上記実施形態の発明のネットワークシステムは、複数の上記のいずれかのコンテンツ提供局およびコンテンツ選択要求局およびコンテンツ選択方法を使用することによって構成することができる。
【０３４２】
また、上記実施形態の発明のネットワークシステムは、上記コンテンツ選択要求局および上記コンテンツ提供局をそれぞれ複数個有し、上記のいずれかのコンテンツ選択方法を用いることによって構成されるように構成することができる。
【０３４３】
上記の構成により、操作者は、選択を希望するコンテンツがなんであるかさえわかっていればよく、選択を希望するコンテンツがどの局に属しているのかを調べる必要がない。それゆえ、コンテンツが複数の局に分散されて配置されていても、所望のコンテンツを容易に選択することができる。
【０３４４】
また、上記実施形態の発明に係るコンテンツ選択要求局は、コンテンツ提供局を選択するための選択ルールを記憶しており、操作者からの入力によりコンテンツ選択要求の入力を受け付け、前記選択ルールに従って、前記コンテンツ提供局の一つを選択して、前記選択されたコンテンツ提供局に対してコンテンツ選択要求を送信することが好ましい。
【０３４５】
また、前記コンテンツ選択要求局は、最後に選択したコンテンツ提供局およびコンテンツを特定する情報を保存するとともに、その情報に基づいてコンテンツ提供局およびコンテンツとの接続を再開することが好ましい。
【０３４６】
また、前記選択ルールは、選択の対象となるコンテンツ提供局の全てが選択された後は、最初に選択されたコンテンツ提供局を再び選択することが好ましい。
【０３４７】
また、前記コンテンツ選択要求局は、前記選択したコンテンツ提供局との通信状態および応答状態を確認し、所望レベル以上の通信状態が得られない場合は、前記選択ルールに従って、次に選択されるべきコンテンツ提供局を選択することが好ましい。
【０３４８】
また、前記コンテンツ選択要求局は、選択したコンテンツ提供局との通信状態および応答状態を確認し、所望レベル以上の通信状態が得られない場合は、その旨を操作者に提示することが好ましい。
【０３４９】
また、前記コンテンツ選択要求局は、選択したコンテンツ提供局との間で所望レベル以上の通信状態が得られない場合にその旨を操作者に提示するときに、通信は可能であるが電波強度もしくは応答状況もしくは通信エラー率が所望レベル未満であるのか、それとも、相手局の電源が入っていない、相手局との距離が離れてしまったために応答がない、もしくは、コンテンツとの物理的接続が切れているのか、の区別を付けて操作者に提示することが好ましい。
【０３５０】
また、前記コンテンツ選択要求局は、選択したコンテンツ提供局とコンテンツとの通信状態が所望レベル以上の通信状態が得られない旨を前記コンテンツ提供局から受信し、選択したコンテンツ提供局とコンテンツとの通信状態が所望レベル以上の通信状態が得られない旨を操作者に提示することが好ましい。
【０３５１】
また、前記コンテンツ選択要求局は、選択したコンテンツ提供局とコンテンツとの間で所望レベル以上の通信状態が得られない場合にその旨を操作者に提示するときに、通信は可能であるが電波強度もしくは応答状況もしくは通信エラー率が所望レベル未満であるのか、それとも、相手局の電源が入っていないもしくは、相手局との距離が離れてしまったために応答がない、もしくは、コンテンツとの物理的接続が切れているのか、の区別を付けて操作者に提示することが好ましい。
【０３５２】
また、前記の所望レベル以上の通信状態が得られないとは、通信は可能であるが電波強度もしくは応答状況もしくは通信エラー率が所望レベル未満であることが好ましい。
【０３５３】
また、前記の所望レベル以上の通信状態が得られないとは、相手局の電源が入っていない、もしくは、相手局との距離が離れてしまったために応答がない、もしくは、コンテンツとの物理的接続が切れていることであることが好ましい。
【０３５４】
また、前記コンテンツ選択要求局は、操作者からの入力に基づいて送信されたコンテンツ切り替え指示を受信した場合に、そのコンテンツ切り替え指示をコンテンツ提供局に送信することが好ましい。
【０３５５】
また、前記コンテンツ選択要求局は、自局が受信したコンテンツが表示される表示機器における外部接続機器の切り替えを制御する手段を有し、操作者からの入力によりコンテンツ選択要求の入力を受けた際に、表示機器における外部接続機器として自局が選択されている場合は、コンテンツ選択を行い、コンテンツの選択が一巡したか、表示機器における外部接続機器として自局以外が選択されている場合は、表示機器の外部接続機器の切り替えを行うことが好ましい。
【０３５６】
選択された前記コンテンツ提供局は、所定のコンテンツの選択ルールに従って、コンテンツを選択し、選択すべきコンテンツが残っていなければ、その旨をコンテンツ選択要求局に送信し、前記コンテンツ選択要求局は、コンテンツが残っていない旨をコンテンツ提供局から受信すると、前記コンテンツ提供局を選択するための選択ルールに従って、自局に接続されているコンテンツ提供局を変更することが好ましい。
【０３５７】
上記の課題を解決するために、上記実施形態の発明に係るコンテンツ提供局は、複数のコンテンツ提供局が有するコンテンツのうちから所望のコンテンツを選択するコンテンツ選択要求局であって、前記コンテンツ提供局を選択するための選択ルールを記憶しており、操作者からの入力によりコンテンツ選択要求の入力を受け付け、前記選択ルールに従って、前記コンテンツ提供局の一つを選択して、前記選択されたコンテンツ提供局に対してコンテンツ選択要求を送信するコンテンツ選択要求局から送信されたコンテンツ選択要求を受信するものである。
【０３５８】
また、前記コンテンツ提供局は、前記コンテンツ選択要求を受信した場合に、前記コンテンツ選択要求局に対して、自己の保持するコンテンツを返信することが好ましい。
【０３５９】
また、前記コンテンツ提供局は、前記コンテンツ選択要求局によって最後に選択されたコンテンツを特定する情報を保存し、その情報に基づいて前記コンテンツ選択要求局との接続を再開することが好ましい。
【０３６０】
また、前記コンテンツ提供局は、保存していた前記のコンテンツ選択要求局によって最後に選択されたコンテンツを特定する情報を、当該コンテンツ選択要求局によって接続が明示的に解除されたとき、もしくは、当該コンテンツ選択要求局へ映像を送信しなくなってから一定時間経過したときに消去することが好ましい。
【０３６１】
また、前記コンテンツ提供局は、保存していた前記のコンテンツ選択要求局によって最後に選択されたコンテンツを特定する情報を、当該コンテンツ選択要求局へ映像を送信しなくなってから一定時間経過したときに消去することが好ましい。
【０３６２】
また、前記コンテンツ提供局は、前記コンテンツ選択要求局へ返信するコンテンツの情報を当該コンテンツ選択要求局へ送信することが好ましい。
【０３６３】
また、前記コンテンツ提供局は、前記コンテンツ選択要求局が次に選択可能なコンテンツの情報を当該コンテンツ選択要求局へ送信することが好ましい。
【０３６４】
また、前記コンテンツ提供局は、前記コンテンツ選択要求局が選択可能なコンテンツの情報を当該コンテンツ選択要求局へ送信することが好ましい。
【０３６５】
また、前記コンテンツ提供局は、前記コンテンツ選択要求局によって選択された場合、所定のコンテンツの選択ルールに従って、選択すべきコンテンツが残っていれば、次のコンテンツを選択してそのコンテンツの内容をコンテンツ選択要求局に対して送信し、コンテンツが残っていなければ、その旨をコンテンツ選択要求局に送信することが好ましい。
【０３６６】
また、前記コンテンツ提供局は、返信しようとするコンテンツとの通信状態および応答状況を確認し、所望レベル以上の通信状態が得られない場合は、所定のコンテンツの選択ルールに従って、次に選択されるべきコンテンツを返信することが好ましい。
【０３６７】
また、前記コンテンツ提供局は、前記コンテンツ選択要求局との通信に利用可能な帯域が、返信しようとするコンテンツの伝送に必要な帯域よりも少ない場合は、所定のコンテンツの選択ルールに従って、次に選択されるべきコンテンツを返信することが好ましい。
【０３６８】
また、前記コンテンツ提供局は、返信しようとするコンテンツが使用中である場合は、所定のコンテンツの選択ルールに従って、次に選択されるべきコンテンツを返信することが好ましい。
【０３６９】
前記のコンテンツが使用中であるとは、別のコンテンツ選択要求局から使用されている、もしくは、コンテンツ提供局側にいるユーザがコンテンツ選択要求局を介さずに使用していることであることが好ましい。
【０３７０】
また、前記コンテンツ提供局は、選択したコンテンツとの通信状態および応答状況を確認し、所望レベル以上の通信状態が得られない場合は、その旨をコンテンツ選択要求局に送信することが好ましい。
【０３７１】
前記の所望レベル以上の通信状態が得られないとは、通信は可能であるが電波強度もしくは応答状況もしくは通信エラー率が所望レベル未満であることが好ましい。
【０３７２】
前記の所望レベル以上の通信状態が得られないとは、相手局の電源が入っていない、もしくは、相手局との距離が離れてしまったために応答がない、もしくは、コンテンツとの物理的接続が切れていることであることが好ましい。
【０３７３】
上記実施形態の発明に係るコンテンツ提供局は、コンテンツ選択要求局からの要求に基づいて自局の保持するコンテンツを返信するコンテンツ提供局であって、自局の保持するコンテンツの制御信号を記憶し、返信しようとするコンテンツが視聴可能な状態ではない場合は、該コンテンツが試聴可能な状態となるようにコンテンツに対して制御信号を送信することを特徴としている。
【０３７４】
上記実施形態の発明に係るコンテンツ提供局は、コンテンツ選択要求局からの要求に基づいて自局の保持するコンテンツを返信するコンテンツ提供局であって、自局の保持するコンテンツの制御信号を記憶し、返信するコンテンツを第１のコンテンツから第２のコンテンツに変更する際に、第１のコンテンツが不使用の状態となるように第１のコンテンツに対して制御信号を送信することを特徴としている。
【０３７５】
上記実施形態の発明に係るネットワークシステムは、前記複数のコンテンツ選択要求局および前記複数のコンテンツ提供局を有することを特徴としている。
【０３７６】
前記選択ルールは、前記コンテンツ選択要求局のみに記憶されており、前記コンテンツは、前記コンテンツ提供局のみに保持されていることが好ましい。
【０３７７】
それゆえ、コンテンツが複数の局に分散されて配置されていても、所望のコンテンツを容易に選択することができる。
【０３７８】
また、本発明の一実施形態に係る制御機器は、伝送部と、前記伝送部から入力された映像信号の出力を制御する制御部とを有する制御機器であって、前記制御部は、コンテンツ選択提供局の所定の要求に基づいて、前記出力の対象である映像信号の入力元を前記伝送部から他へ切り換える制御と、前記伝送部に接続された機器に対し映像信号の送信を停止させる制御とを行う。
【０３７９】
また、前記映像信号の送信を停止させる制御とは、前記機器の電源をＯＦＦにする、あるいは前記機器をスタンバイ状態にする制御であることが好ましい。
【０３８０】
本発明の一実施形態に係る制御方法は、伝送部と、前記伝送部から入力された映像信号の出力を制御する制御部とを有する制御機器の制御方法であって、所定の要求に基づいて、前記出力の対象である映像信号の入力元を前記伝送部から他へ切り換える制御を行う工程と、前記伝送部に接続された機器に対し映像信号の送信を停止させる制御を行う工程とを含む。
【０３８１】
発明の詳細な説明の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、いろいろと変更して実施することができるものである。
【産業上の利用可能性】
【０３８２】
本発明に係るコンテンツ選択方法は、例えば、ビデオテープデッキやＤＶＤプレーヤーなどの映像記録再生機器の置いてある部屋と、操作者がいる部屋とにそれぞれ通信装置を置き、遠隔操作対象である映像記録再生機器が複数の局に分散して配置されている場合であっても、所望の映像記録再生機器を容易に選択できる方法である。よって、例えば、テレビ受像器はあるがＤＶＤプレーヤーがない部屋にいる状態で、他の部屋のＤＶＤプレーヤーを通信により操作して、元の部屋のテレビ受像器にその画像を映し出すことができる。このように、本発明は複数の映像記録再生機器を備えたＡＶシステム、特に映像を無線伝送するネットワークシステムに好適である。
【図１】
0005512630.tif 000002
【図２】
0005512630.tif 000003
【図３】
0005512630.tif 000004
【図４】
0005512630.tif 000005
【図５】
0005512630.tif 000006
【図６】
0005512630.tif 000007
【図７】
0005512630.tif 000008
【図８】
0005512630.tif 000009
【図９】
0005512630.tif 000010
【図１０】
0005512630.tif 000011
【図１１】
0005512630.tif 000012
【図１２】
0005512630.tif 000013
【図１３】
0005512630.tif 000014
【図１４】
0005512630.tif 000015
【図１５】
0005512630.tif 000016
【図１６】
0005512630.tif 000017
【図１７】
0005512630.tif 000018
【図１８】
0005512630.tif 000019
【図１９】
0005512630.tif 000020
【図２０】
0005512630.tif 000021
【図２１】
0005512630.tif 000022
【図２２】
0005512630.tif 000023
【図２３】
0005512630.tif 000024
【図２４】
0005512630.tif 000025
【図２５】
0005512630.tif 000026
【図２６】
0005512630.tif 000027
【図２７】
0005512630.tif 000028
【図２８】
0005512630.tif 000029
【図２９】
0005512630.tif 000030
【図３０】
0005512630.tif 000031
【図３１】
0005512630.tif 000032
【図３２】
0005512630.tif 000033
【図３３】
0005512630.tif 000034
【図３４】
0005512630.tif 000035